(57)【特許請求の範囲】
【請求項１】
飲料を０℃より低く冷却する冷却手段、分取タップ、および飲料を分取タップへ運搬する飲料分取配管を含む飲料分取装置であって、この設備では、飲料を大気圧下に放置した場合に一般的に飲料中で氷が形成される点よりも低い温度に冷却された飲料を装置が分取し、ここで、装置中の分取されていない飲料は固体に凍結せず、そして、装置は飲料中の氷の核形成を生じるように超音波を発信する超音波発信器を含む、前記分取装置。
【請求項２】
超音波発信器が、分取タップの分取ノズルまたは吐出口中に備えられている、請求項１に記載の分取装置。
【請求項３】
超音波信号が２０ｋＨｚから７０ｋＨｚまでの範囲の周波数を有する、請求項１又は２に記載の分取装置。
【請求項４】
超音波信号が３０ｋＨｚの周波数を有する、請求項３に記載の分取装置。
【請求項５】
前記冷却手段が、飲料を−４℃と−６℃との間に冷却する、請求項１ないし４のいずれか１項に記載の分取装置。
【請求項６】
前記冷却手段が、飲料を−１℃と−１２℃との間に冷却する、請求項１ないし４のいずれか１項に記載の分取装置。
【請求項７】
分取配管にビールが入っている、請求項１ないし６のいずれか１項に記載の分取装置。
【請求項８】
分取装置に配置された直立型のガラスの外側上に水をスプレーする水噴霧器に導く水用ラインを含む、請求項１ないし７のいずれか１項に記載の分取装置。
【請求項９】
上部開放容器中の樽抜き飲料を給仕する方法であって、前記飲料は水および溶存ガス内容物を含有し、前記方法は、冷却装置を用いて、飲料を周囲雰囲気圧力での水の凝固点を下回る温度に冷却し、冷却された飲料を前記容器へ移行し、前記冷却された飲料は超音波に曝される、前記方法。
【請求項１０】
超音波が前記容器の外側から加えられる、請求項９に記載の方法。
【請求項１１】
超音波が前記容器の内側から加えられる、請求項９に記載の方法。
【請求項１２】
超音波信号発信器が、容器中の飲料中に配置され、容器中の飲料中に超音波信号を発信する、請求項９ないし１１のいずれか１項に記載の方法。
【請求項１３】
飲料がそこから容器中に運搬される、分取ノズルまたは吐出口が、超音波信号を提供するための超音波発信器として機能する、請求項９ないし１２のいずれか１項に記載の方法。
【請求項１４】
超音波が、分取吐出口を通って流れている飲料に加えられる、請求項１３に記載の方法。
【請求項１５】
超音波信号が２０ｋＨｚから７０ｋＨｚまでの範囲の周波数を有する、請求項９ないし１４のいずれか１項に記載の方法。
【請求項１６】
超音波信号が３０ｋＨｚの周波数を有する、請求項１５に記載の方法。
【請求項１７】
超音波が泡の塊の形成を促進して、飲料上の泡の高さを増し、そして飲料上の泡の真下に形成された氷の塊が下方に展開する、請求項９ないし１６のいずれか１項に記載の方法。
【請求項１８】
前記冷却装置が、飲料を−１℃と−１２℃との間に冷却する、請求項９ないし１７のいずれか１項に記載の方法。
【請求項１９】
前記冷却装置が、飲料を−４℃と−６℃との間に冷却する、請求項１８に記載の方法。
【請求項２０】
飲料がビールである、請求項９ないし１９のいずれか１項に記載の方法。
【請求項２１】
水が上部開放容器の外側にスプレーされる、請求項９ないし２０のいずれか１項に記載の方法。
【発明の詳細な説明】
【技術分野】
【０００１】
本発明は、飲料、飲料の製造法または給仕法、飲料中の目に見える表示の提供、および樽抜き飲料を供給するための装置に関する。
【背景技術】
【０００２】
関連の飲料は、水分内容物および溶存ガス内容物を含有する。
【０００３】
飲料はアルコール性飲料またはノンアルコール飲料であってよい。例えば、飲料はビール、シードル、フレーバー入りアルコール性飲料、例えばアルコール性レモネードまたは他のドリンクのアルコ−ポップスタイル（ａｌｃｏ−ｐｏｐ ｓｔｙｌｅ）またはいわゆる低アルコールドリンクであってよい。用語「ビール」は、ラガー、エール、ポーターおよびスタウトを包含し、ホップフレーバー、モルト処理および発酵に由来するアルコール内容物、水内容物、および溶存ガス内容物を含有する飲料が含まれる。
【発明の概要】
【発明が解決しようとする課題】
【０００４】
本発明の目的は、ドリンクの希釈が起こらないので、消費者がより好ましいと考える手段により、飲料中で氷を使用して、冷たい飲料を提供することである。
【０００５】
本発明の別の目的は、飲料中に冷却用の氷が存在し続け、それによりドリンクがより長期間その冷たさを保持できるような飲料を提供することである。
【０００６】
本発明の別の目的は、飲料の上の飲料上の泡が維持されるような（飲料が飲料上の泡を有する場合）飲料を提供することである。
【０００７】
本発明の別の目的は、氷が飲料中で面白い目に見える表示に成り得るような飲料を提供することである。
【課題を解決するための手段】
【０００８】
本発明の第１の態様において、上部開放容器中の飲料を提供し、前記飲料は水内容物および溶存ガス内容物を含有し、前記容器中で飲料は氷の上に泡の飲料上の泡を有し、前記氷は水内容物の水から飲料中で形成される。
【０００９】
容器は好適な任意の容器であってよく、例えばドリンク用の容器、例えばガラスであってよい。
【００１０】
好ましくは氷の層が飲料上の泡と隣接し、飲料上の泡と接している。好ましくは氷が飲料上の泡から離れて下方へ広がって突出し、飲料上の泡領域をもたらす。氷の突出は、飲料上の泡から直接、または飲料上の泡の下の氷の層から起こる。
【００１１】
氷は、単一の固体マスよりもむしろ氷のたくさんの小さな結晶であるのが好ましい。氷は固体マスよりもむしろ半解けの特徴であることが好ましい。飲料中で１種以上の氷形成が起こってよい。微細な粉末状の氷が存在してよい。フレークの最長寸法が約１または約２ｍｍまたは約３ｍｍまたは約４ｍｍまたはそれ以上のフレーク状の氷であってよい。
【００１２】
白色または水の透明さとは異なる着色された飲料は、バンド、または異なる高さで横切るストライプを有していてよく、バンドは核形成の起こる白色層および核形成がほとんど起こらない白色層間に介在する飲料着色層であってよい。この効果は飲料容器、例えばガラス上に超音波を使用することにより達成される。白色バンドおよび介在する飲料着色バンドは実質的に同一厚さであってよい。
【００１３】
飲料着色バンドで散在した白色バンドは、分単位よりは秒単位で存在してよく、典型的に１〜１０秒、好ましくは約３〜６秒存在する。散在した白色バンド／飲料着色バンドは、実質的に飲料容器へ超音波を当てるのと同時に存在する。
【００１４】
核形成手段は、容器の中での飲料中の氷結晶および／または飲料上の泡の形成を促進するために実施されてよい。核形成手段は、好ましくは飲料容器の下方部へ適度に超音波を当てることであるが、別の核形成誘導の形態であってもよい。例えば容器および／または分散タップ／ノズル（または飲料容器中へ挿入される物体）は、核形成を促進するために粗面／表面積の大きな表面を有してよく（例えば焼結表面、食刻表面、またはガラス等の基質材料表面）または核形成を誘導するために迅速かつ好適に圧力を降下させてよく、または機械的に攪拌してよく、または飲料は核形成を促進するために乱流するようにアレンジされていてよく、または可能な限り気体で飽和された液体部分を導入または注入してよく、または気体を別の方法で導入、または注入し、あるいはガラスを同様の方法で震動させてよく（例えば音波に曝露する、または容器を別の方法で震動させる）、または化学物質（例えばタブレット）または気泡を生じる装置を導入してよい（例えば化学物質ペレットは泡立つかまたは溶解し、気泡を放出する）。
【００１５】
本発明の第２の態様において、上部開放容器中で飲料を冷たいまま維持する方法が提供され、前記飲料は水内容物および溶存ガス内容物を含有し、前記方法は上部開放容器中の飲料の中で飲料を冷却する効果を有する氷を形成することを含み、前記氷は前記水内容物の水から飲料中で形成される。
【００１６】
本発明の第３の態様において、上部開放容器中の飲料の中で冷却用の氷を維持する方法を提供し、前記飲料は水内容物および溶存ガス内容物を含有し、ここで前記氷は水内容物の水から飲料中で形成され、前記方法は、飲料の上部に泡の飲料上の泡をもたらし、容器中で氷は飲料上の泡で覆われ、飲料上の泡の上部から氷へ向かう熱に対して、飲料上の泡は氷の上で上部保冷剤として機能する。
【００１７】
本発明の第４の態様において、上部開放容器中で溶液上に飲料上の泡を維持する方法を提供し、前記飲料は水内容物および溶存ガス内容物を含有し、前記方法は、飲料に飲料上の泡をもたらし、前記水内容物の水から飲料中で氷を形成し、前記飲料中で、前記氷は、飲料上の泡の下側から上側へ飲料上の泡を冷却する効果を有する。
【００１８】
本発明の第５の態様において、飲料の上部開放容器を提供し、飲料は水内容物および溶存ガス内容物を含有し、飲料が容器中に分取される際に飲料上の泡を形成することができ、飲料容器は多くの氷結晶から成る氷質に重なる飲料上の泡を有し、該氷質は、飲料の容器中への分取時または分取後に飲料中で氷が形成されることにより生成される。
【００１９】
有利には容器は透明または半透明の壁を有するかまたは少なくとも透明または半透明材料の窓を有する。
【００２０】
好ましくは、氷質は実質的に容器の口幅に広がるか、または口幅を端から端まで完全に広がる。氷質は、飲料上の泡含有領域または層中の実質的に均質な氷結晶を含有する。また、飲料上の泡と接する氷結晶は実質的に均質でない。
【００２１】
氷質は、飲料上の泡から離れて広がる突出を有してよい。この突出は氷と飲料上の泡との境界付近の氷よりも大きな氷のフレークを含有してよい。
【００２２】
氷と飲料上の泡との境界面の氷は突出部の氷フレークの手前で形成されてよい。
【００２３】
飲料を超音波信号に課し、樽抜き飲料として容器へ移行する。樽抜き飲料が容器へ移行される前に、有利には直前に、飲料を、周囲雰囲気圧力での水の凝固点を下回る温度へ冷却してよい。
【００２４】
本発明の第６の態様において、上部開放容器中の樽抜き飲料を給仕する方法を提供し、前記飲料は水内容物および溶存ガス内容物を含有し、前記方法は、飲料を周囲雰囲気圧力での水の凝固点を下回る温度に冷却し、冷却された飲料を前記容器へ移行し、前記冷却された飲料は超音波信号作用に曝されるかまたは他の氷および／または飲料上の泡核形成法に課される。
【００２５】
超音波信号は前記容器の外側から課せられ、かつ／または超音波信号は前記容器の内側で、冷却された飲料に課せられる。後者の場合、超音波エミッタ自体またはプローブに組み込んだものを、容器中の飲料の中に配置する。所望であれば、そこから飲料を容器へと移行する分取用の排出口またはノズルを、容器中の前記飲料へ前記超音波信号を提供する超音波エミッタとして機能できるように適合させてよい。このようなシグナルは、分取用排出口を通過する際に飲料へ課せられ、かつ／または容器中の飲料へ課せられる。
【００２６】
超音波信号は容器へ移行された後だけでなく、移行中にも飲料へ課すことができる。例えば分取用または排出用ノズルからの排出中および／または排出後に飲料流へ超音波を当てることができる。
【００２７】
超音波信号は２０ｋＨｚから７０ｋＨｚの周波数範囲である。例えば超音波信号は実質的に３０ｋＨｚの周波数を有する。
【００２８】
前記氷の塊は飲料中で飲料上の泡の下側から下方へ広がってよい。
【００２９】
好ましくは、飲料を容器へ移行する前に容器を冷却しておく。容器を実質的に４℃の温度へ冷却してよく、または容器を４℃を下回る温度に冷却してよい。例えば容器は実質的に０℃の温度に冷却されてよい。
【００３０】
移行前に、好ましくは移行の直前に、樽抜き飲料を実質的に−１℃から実質的に−１２℃の範囲の温度に冷却してよく、実質的にこの温度範囲で容器へと移行させてよい。所望であれば、飲料を実質的に−４℃から実質的に−６℃の温度に冷却してよい。体積あたりのアルコール強度（ａｂｖ）が高いほど、アルコール飲料の冷却温度は低くなる。約４．５％ａｂｖを有するラガー（または他のドリンク）では、約−５℃の分取温度を得ることを目的とする（または実質的に−４℃または実質的に−６℃）。
【００３１】
好ましくは、容器は十分に透明な壁部分を有し、その壁部分を通して容器内容物を肉眼で見ることができる。従って容器はガラスのドリンク用容器であってよい。
【００３２】
好ましくは、飲料は淡い色であり、例えば淡いビールの色である、所望であれば、飲料はラガー、またはシードルである。
【００３３】
前記の溶解した気体は二酸化炭素を含有してよくかつ／または窒素を含有してよい。飲料、例えばアルコール飲料中に溶解した窒素内容物は、実質的に０百万分率（ｐ．ｐ．ｍ．）から実質的に１００ｐ．ｐ．ｍ．の範囲であってよい。ある飲料、例えば特定のラガーでは、実質的に４０ｐ．ｐ．ｍ．である。溶解した二酸化炭素内容物は、０体積％に近似するかまたはそれ以上である。前記二酸化炭素は実質的に以下の任意のレベルであるか、任意の以下のレベルの間で定義された範囲である；０ｖｏｌｓ／ｖｏｌ、０．５ｖｏｌｓ／ｖｏｌ、１ｖｏｌｓ／ｖｏｌ、１．４または１．５ｖｏｌｓ／ｖｏｌ、２．０ｖｏｌｓ／ｖｏｌ、２．２または２．４ｖｏｌｓ／ｖｏｌ、３ｖｏｌｓ／ｖｏｌ、４ｖｏｌｓ／ｖｏｌｓまたは５ｖｏｌｓ／ｖｏｌまたはそれ以上である。
【００３４】
所望であれば、超音波信号を機械的または電気的に起こる可聴パフォーマンスおよび／または可視光表示と組み合わせてよい。可聴パフォーマンスは、音楽的サウンドまたはミュージカル・サウンドであってよい。可視光表示は光の可視フラッシュを含んでいてよい。
【００３５】
所望であれば、視界から（少なくとも封入体の片側から）容器を隠すようにアレンジされた封入体中で飲料に超音波を課してよい。
【００３６】
本発明の第７の態様において、水内容物および溶存ガス内容物を含有する飲料を供給し、ここで、飲む前に前記飲料を周囲雰囲気圧力下での水の凝固点を下回る温度まで冷却し、容器へ移行して周囲雰囲気圧力に曝露し、その際、前記容器中で前記気体が飲料から泡になって放出されかつ前記水内容物の少なくとも一部が氷になる。
【００３７】
本発明の第８の態様において、樽抜き可能でありかつ水内容物および溶存ガス内容物を含有する飲料を提供し、ここで、飲む前に樽抜き飲料を周囲雰囲気圧力での水の凝固点を下回る温度で、排出口から周囲雰囲気圧力へと開放された容器へ移行し、それにより前記気体が飲料から泡になって放出されかつ前記水内容物の少なくとも一部が氷になる。
【００３８】
所望であれば、好ましくはドリンク用容器である容器は氷の形成を促進する形状または構成を有していてよい。例えば、容器は氷の形成を促進する核形性部位を提供する内表面を有してよい。前記表面は、少なくとも粗い表面部分を有してよい。少なくとも容器の壁部分は温度の変化により自動的に色が変化するように設定されていてよい。前記壁部分は、熱変色性材料を含有してよい。
【００３９】
望ましくは、気体は非酸化気体である。このことは飲料の変質を回避または少なくとも遅延させる。気体は二酸化炭素および／または窒素を含む。飲料を冷却して飲料中に氷を形成することにより、少なくとも最初に、例えばラガー等の飲料から溶解した気体が放出される速度を減少させ、飲む際の感覚、味、風味または刺激を改良する。このことは（氷により維持される）飲料の低い温度と飲料中に保持されるより多くの気体量との組合せから成ると確信する。
【００４０】
氷の存在は、容器が満たされた後、氷が飲料の全体に認識可能な速度で広がる際に特に美しい、面白くかつ魅力的な特性を提供できる。さらに面白さを加えるために、氷はその中に、氷および／または飲料の色とは対称的な１種以上の色のすじまたは領域を一カ所以上含有してよい。
【００４１】
前記氷は半解けの特徴を有してよい。
【００４２】
本発明の第９の態様において、水内容物および溶存ガス内容物を含有する樽抜き飲料の給仕法を提供し、前記方法は、樽抜き飲料を排出口から容器へ移行し、移行前に、飲料から前記の溶解した気体が損失されるのを阻害するような手段で飲料を貯蔵しまたは取り扱い、前記飲料を前記周囲雰囲気圧力での水の凝固点を下回る温度まで冷却し、前記容器中で、前記気体が飲料から泡になって放出されかつ前記水の少なくとも一部が氷になる。
【００４３】
本発明の第１０の態様において、少なくともある程度透明な壁部分を有する容器内で目に見える表示または効果を提供する方法を提供し、前記方法は、水内容物および溶存ガス内容物を含む樽抜き飲料を供給し、樽抜き飲料を排出口から前記容器へと移行し、移行前に、飲料から前記の溶解した気体が損失されるのを阻害するような手段で貯蔵しまたは取り扱い、前記飲料を前記周囲雰囲気圧力での水の凝固点を下回る温度まで冷却し、容器中の飲料の中で、目に見える表示および効果を起こし、前記の目に見える表示および効果には、前記気体の飲料からの発泡と、前記水の少なくとも一部が氷になることによる氷形成とが含まれる。
【００４４】
氷の量および広がりが、実質的に飲料の上部から飲料の下方に向かって増加するように、容器中で氷形成を進行させることができる。
【００４５】
容器の壁部分の少なくとも一部が、温度の変化により自動的に色変化してよい。前記壁部分は熱変色性材料を含有してよい。
【００４６】
前記氷の形成を促進するために、容器内の飲料中へ器具を挿入してよい。例えば、器具は温度計またはマドラーであってよい。
【００４７】
着色材料または染料を、飲料および／または氷の着色された少なくとも１カ所のすじまたは領域を形成するために使用でき、前記材料または染料の色は氷および／または飲料の色と対照的であり、それ故に肉眼で認識することができる。
【００４８】
前記器具は、飲料および／または氷に着色材料または染料を添加するために使用することができる。
【００４９】
１つの方法として、飲料を約−４℃で容器へ供給し、その後、容器中の飲料の温度を比較的迅速に少なくとも約−３℃まで上昇させてよい。
【００５０】
本発明の第１１の態様において、飲料を０℃より低く冷却するために適合された冷却手段、分取タップ、および飲料を分取タップへ運搬するために適合された配管を含む飲料分取装置を提供し、この設備では、飲料を気圧下に放置した場合および核形成手段を放置飲料に実施した場合に一般的に飲料中で氷が形成される点よりも低い温度に冷却された飲料を分取できるように、装置が適合されており、ここで、装置中の分取されていない飲料は凍結固体ではない。
【００５１】
好ましくは、装置はポンプ手段を有し、飲料分取配管は、分取タップが閉じていた場合に分取タップを通り越して飲料が循環する部分を含有していてよく、冷却した未分取飲料が流れ続けるという事実は、氷が形成されて分取タップ部で目詰まりを起こすことを防止し易い。
【００５２】
飲料は実質的に常に分取タップを通り越して（または分取タップが開いている場合には分取タップを通って）、別の方法であったら飲料が分取タップ部でまたは飲料分取用配管中で氷を形成するような温度で、流れ続けてよい。
【００５３】
少なくとも１種の冷却手段に装備されかつ分取タップと連結した冷循環ループが存在するのが好ましく、循環ループ中の飲料は冷却手段により冷たく保たれ、循環ループ中に装備されたポンプ手段により循環し続ける。循環ループ中には複数の冷却機関が存在してよい（例えば熱交換器）。循環ループに付随する複数の分取タップが存在してよい。
【００５４】
循環ループの上向きの飲料流を、循環ループの上向きの配管中で飲料が経験する温度および圧力条件下に、飲料中で氷が形成されるような温度まで冷却してよい。
【００５５】
本発明の第１２の態様において、樽抜き飲料の供給装置を提供し、前記装置は、飲料用熱交換器、排出口から供給するための前記熱交換器由来の冷たい飲料用飲料排出口、前記排出口への飲料の供給を制御するための開閉可能なバルブ、および飲料が前記ループ中を循環できるようにするための飲料循環ループを内包する。
【００５６】
バルブが閉まっている時に飲料はループ中を循環できる。ループは前記飲料を循環させるためのポンプを含有するのが好ましい。
【００５７】
飲料を循環させる目的は、凍結した飲料が排出口への飲料供給経路を遮断する危険性を軽減または回避することである。前記ループは、前記熱交換手段中に飲料流路を含んでいてよい。
【００５８】
好ましい形態において、装置はドリンク・バーのカウンターに取り付け可能なユニットまたはディスペンサを含有でき、かつ熱交換手段および排出口を有している。
【００５９】
飲料流路は、樽抜き飲料タンクと熱交換手段とを連結できる。流路は少なくともループ部分を有する。
【００６０】
流路は複数の飲料ルートに分かれていてよく、ループは１つ以上のルートを有してよい。
【００６１】
タンクと最初に述べた熱交換手段の間に位置するもの。飲料を第２の飲料冷却用熱交換手段で処理してよい。
【００６２】
タンクは冷却されてよい。
【００６３】
所望であれば、第２の熱交換手段は少なくともループの１カ所で機能してよい。
【００６４】
第１および第２の熱交換手段に常用される冷却剤は熱交換手段を通って循環してよい。
【００６５】
飲料冷却用熱交換手段は、前記タンクとループ間の飲料に対して機能してよい。
【００６６】
本発明の特別な形態での１つの利点は、ドリンクの希釈が起こらないので、消費者がより好ましいと考えるであろう手段により、飲料中で氷を使用して、冷たい飲料を提供できるという点である。別の利点は、飲料中に冷却用の氷が存在し続け、それによりドリンクがより長期間その冷たさを保持できるような飲料を提供できることである。
【００６７】
更なる利点は、飲料の上部の飲料上の泡が、例えば６℃、または例えば４℃で、同様のまたは同一の分取装置を用いて分取された同一のビールが達成するよりも長期間に亘って保持されることである。また、本発明の一実施形態の別の利点は、氷がその中で面白い目に見える表示と成り得るようなビールを提供できることである。
【００６８】
樽抜きシードルをグラスに入れて、任意の相当な時間飲料上の泡が保持されるように、泡沫または泡の飲料上の泡を維持した状態で給仕するのは極めて困難である。しかし、スパークラーを含有する容器からシードルを分取することにより飲料上の泡を作り出すことができ、その飲料上の泡は速やかに消失する。スパークラーの使用はシードルの運搬速度を遅延させるので、一定体積を運搬するのに、スパークラーを使用しない場合よりも長い時間を要し、飲料上の泡がやはり速やかに消失するので、スパークラーの使用は無意味であると考えて、時には許可無く容器からスパークラーを取り出してしまうこともある。
【００６９】
別の目的は、容器、例えばドリンク用のグラスへ移された樽抜きシードルの上部の飲料上の泡が、公知の方法で給仕されるシードルの飲料上の泡よりも安定しかつ長時間保持されるような、溶存ガス内容物を含有する樽抜きシードルを給仕する方法を提供することである。
【００７０】
本発明の第１３の態様において、上部開放容器で樽抜きシードルを給仕する方法を提供し、ここで、前記シードルは水内容物および溶存ガス内容物を含有し、前記方法は、シードルを周囲雰囲気圧力での水の凝固点を下回る温度まで冷却し、冷却されたシードルを前記容器へ移し、前記冷却したシードルを超音波信号処理に課すことを含む。
【００７１】
シードルは、実質的に−１℃から実質的に−１２℃の範囲の温度まで冷却してよい。例えばシードルは、実質的に−６℃に冷却してよい。体積あたりのアルコール強度が強いほど、シードルの冷却温度は低くなる。
【００７２】
所望であれば、冷却したシードルを、スパークラーを通して分取排出口から供給できる。しかし、冷却されたシードルは、そこからシードルが供給される分取排出口中のオリフィス・プレートを通過してよい。
【００７３】
上部開放容器は、シードルを入れる前に冷却するのが好ましい。容器は約４℃に冷却されてよく、または４℃を下回る温度に冷却されてよい。例えば容器は約０℃に冷却される。
【００７４】
前記超音波信号は、実質的に２０ｋＨｚから実質的に７０ｋＨｚの範囲の周波数を有してよい。例えば、超音波信号は実質的に３０ｋＨｚの周波数を有してよい。
【００７５】
超音波信号を、前記容器の外部から前記容器へ課すことができる。
【００７６】
超音波信号を、前記容器の内部で前記シードルへ課してよい。従って、超音波信号エミッタを容器中のシードル中に配置して、超音波信号を容器中のシードルに放射してよい。
【００７７】
そこから冷却したシードルを前記容器へ移行する分取排出口は、前記超音波信号を処理するための超音波信号エミッタとして機能できるように適合されてよい。前記超音波信号を、分取排出口を通過して流れる前記シードルへ課してよい。
【００７８】
溶存ガス内容物は二酸化炭素および／または窒素を含有してよい。二酸化炭素は実質的に０体積％またはそれ以上であってよく、および／または窒素含量は実質的に０百万分率（ｐ．ｐ．ｍ．）またはそれ以上であってよく、例えば二酸化炭素含量は約１．８体積％でありかつ／または窒素含量は約１８百万分率（ｐ．ｐ．ｍ．）であってよい。
【００７９】
本発明の第１４の態様において、上部開放容器中のシードルを供給し、ここで前記シードルは溶存ガス内容物および水内容物を含有し、この際、前記シードルは氷の上に泡の飲料上の泡を有し、前記氷は前記水内容物の水から形成される。本発明の前記第１４の態様の前記シードルでは、前記飲料上の泡および氷を、少なくとも部分的に、第１３の態様に記載される方法を実施することで製造してよい。
【００８０】
本発明の第１５の態様において、上部開放容器中のシードルの上部に飲料上の泡を維持する方法を提供し、ここで前記シードルは水内容物および溶存ガス内容物を含有し、前記方法は、シードル上部に飲料上の泡をもたらし、前記水内容物の水から氷を形成し、前記容器中で、前記氷が前記飲料上の泡で覆われた層を形成することを含む。本発明の第１５の態様の前記方法では、前記飲料上の泡および氷を、少なくとも部分的に、第１３の態様に記載される前記方法を実施することで製造してよい。
【００８１】
本発明の第１６の態様において、上部開放容器中の飲料の給仕法を提供し、この方法は、水内容物を有する飲料を提供し、飲料を大気圧での水の凝固点を下回る温度に冷却し、冷却された飲料を上部開放容器に移し、容器中の飲料の中で核形成部位の形成を促進し、その部位では前記水内容物から飲料中で氷が形成される。
【００８２】
飲料は、容器中で飲料から泡になって放出されかつ前記泡において前記核形成部位を作り出す、溶存ガス内容物を含有してよい。
【００８３】
前記核形成部位の形成を促進するために飲料を超音波処理に課してよい。
【００８４】
飲料は、前記核形成部位の形成に働くまたは促進する固体物質を含有してよい。
【００８５】
本発明の第１７の態様において、樽抜き飲料の供給装置を提供し、前記装置は、飲料冷却用熱交換器、排出口から供給するための前記熱交換器由来の冷たい飲料用飲料排出口、前記排出口への飲料の供給を制御するための開閉可能なバルブ、および飲料がループ中を循環できるようにするための飲料循環ループを内包し、前記熱交換器は冷却剤または冷水を、いずれも前記飲料を冷却するために含有する。
【００８６】
熱交換器は、飲料を冷却できかつループ中を循環する飲料を加熱できる熱交換体を含有してよい。
【００８７】
熱交換体は、ペルチエ効果を利用してよいので、電流の逆転は飲料の加熱を起こす。
【図面の簡単な説明】
【００８８】
【図１】冷えた樽抜き飲料供給装置の略線図である。
【図２】飲用容器へ供給後の飲料における変化を連続的に説明する、図１の装置によって供給される樽抜き飲料で満たされた飲用容器の正面線図である。
【図３】飲用容器へ供給後の飲料における変化を連続的に説明する、図１の装置によって供給される樽抜き飲料で満たされた飲用容器の正面線図である。
【図４】飲用容器へ供給後の飲料における変化を連続的に説明する、図１の装置によって供給される樽抜き飲料で満たされた飲用容器の正面線図である。
【図５】供給される飲料を飲用容器に入れて供する際、その方法に加える部分的変更について説明する側面線図である。
【図６】供給される飲料を飲用容器に入れて供する際、その方法に加える部分的変更について説明する側面線図である。
【図７】供給される飲料を飲用容器に入れて供する際、その方法に加える部分的変更について説明する側面線図である。
【図８】図１の装置によって供給される飲料で満たされた飲用容器の正面線図であって、飲料に超音波信号を加えるために、容器が線図で表される装置上に置かれていることを示す正面線図である。
【図９】飲料に超音波信号が加えられ、飲料中に形成される氷に成長または変化が生じたすぐあとの、飲料表面の飲料上の泡の成長に生じる変化を連続的に示す正面線図である。
【図１０】飲料に超音波信号が加えられ、飲料中に形成される氷に成長または変化が生じたすぐあとの、飲料表面の飲料上の泡の成長に生じる変化を連続的に示す正面線図である。
【図１１】飲料に超音波信号が加えられ、飲料中に形成される氷に成長または変化が生じたすぐあとの、飲料表面の飲料上の泡の成長に生じる変化を連続的に示す正面線図である。
【図１２】飲料に超音波信号が加えられ、飲料中に形成される氷に成長または変化が生じたすぐあとの、飲料表面の飲料上の泡の成長に生じる変化を連続的に示す正面線図である。
【図１３】飲料に超音波信号が加えられ、飲料中に形成される氷に成長または変化が生じたすぐあとの、飲料表面の飲料上の泡の成長に生じる変化を連続的に示す正面線図である。
【図１４】飲料に超音波信号が加えられ、飲料中に形成される氷に成長または変化が生じたすぐあとの、飲料表面の飲料上の泡の成長に生じる変化を連続的に示す正面線図である。
【図１５】飲料に超音波信号が加えられ、飲料中に形成される氷に成長または変化が生じたすぐあとの、飲料表面の飲料上の泡の成長に生じる変化を連続的に示す正面線図である。
【図１６】飲料に超音波信号を加える別の方法を示す線図である。
【図１７】飲料に超音波信号を加えるさらに別の方法を示す線図である。
【図１８】１パイントのラガーが超音波によって励起された状態を示す図である。
【図１９】図１８で示した１パイントのラガーの、３分間放置後の図である。
【図２０】冷えた樽抜きシードル供給装置の略線図である。
【図２１】図２０の装置によって供給されるシードルで満たされた飲用容器の正面線図であって、シードルに超音波信号を加えるために、容器が線図で表される（図８の装置に類似の）装置上に置かれていることを示す正面線図である。
【図２２】シードルに超音波信号が加えられ、シードル中に形成される氷に成長または変化が生じたすぐあとの、シードル表面の飲料上の泡の成長に生じる変化を連続的に示す正面線図である。
【図２３】シードルに超音波信号が加えられ、シードル中に形成される氷に成長または変化が生じたすぐあとの、シードル表面の飲料上の泡の成長に生じる変化を連続的に示す正面線図である。
【図２４】シードルに超音波信号を加える別の方法を示す線図である。
【図２５】シードルに超音波信号を加えるさらに別の方法を示す線図である。
【図２６】冷えた樽抜き飲料供給装置の別の実施形態を示す略線図である。
【図２７】図２６の装置に加えたわずかな変更を示す図である。
【図２８】冷えた樽抜き飲料供給装置の別の実施形態を示す略線図である。
【図２９】冷えた樽抜き飲料供給装置の別の実施形態を示す略線図である。
【図３０】冷えた樽抜き飲料供給装置の別の実施形態を示す略線図である。
【発明を実施するための形態】
【００８９】
以下、本発明を例示的なものとして添付の図面を参照しながら更に詳しく説明する。
【００９０】
図１において、樽抜き飲料は金属製の小樽または大樽４にしこまれている。大樽４は、パブやナイト・クラブで知られている冷蔵室で保管することができ、かつ／または所望であれば、例えば水とエチレングリコールのチルド混合物がはいったタンクなどの、特定の冷えたエンクロージャ６にいれて保管することができる。前述のように、飲料は水分と溶存ガス分を含んでいる。この気体は、適切な非酸化気体であればいかなるの気体であってもよく、例えば二酸化炭素および／または窒素が挙げられる。飲料中の溶存ガスの量は、各種飲料において通常の知られている範囲内であればよく、また大樽４内の圧力および（後述する）サプライ装置の残留物も各種樽抜き飲料において通常の知られている範囲内であればよい。
【００９１】
飲料はラガー、エール、ポーターまたはスタウトを含めたビールでも、シードルでもよい。溶解二酸化炭素含量は、実質的に１体積／体積または２体積／体積を上回ってよく、実質的に単位体積当たり２．２体積とすることができる、かつ／または溶存窒素含量は、実質的に２５ｐ．ｐ．ｍ．〜３５ｐ．ｐ．ｍ．とすることができる。所望であれば、二酸化炭素含量を、実質的に４体積／体積または５体積／体積とすることができる。アルコール含量は２．５％ａｂｖから６または７％ａｂｖの間、好ましくは４〜５％ａｂｖ±１％ａｂｖとすることができる。
【００９２】
飲料はフレーバータイプのアルコール飲料であってもよい。
【００９３】
手動によって操作可能なバルブ１０が開いているときにのみ実質的に動作するよう配置されたポンプ８は、飲料を、大樽４からパイプ１２に沿って最終的にバルブ１０およびバルブ１０から飲料分配用放出口１４まで押し出すよう備えられている。大樽４には、適当なサプライ１６から、知られている方法で一面の非酸化／加圧気体（例えば二酸化炭素および／または窒素）が供給されており、その気体によってポンプ８の飲料抜き出しが容易になっている。
【００９４】
飲料分配ユニットは概ね参照符号１８で示され、断続線２０が示すカバーを備えている。分配ユニットはドリンク・スタンドまたはその付近に取り付けることができ、例えばバーのカウンターの上に取り付けることもできるしまたはカウンターの中に組み込むこともできる。
【００９５】
カバー２０付近には、パイプ１２が２本の流路２２と２４とに分岐しており、各流路はバルブ１０に通じている。一方の流路は、配管２２ａ、２２ｂ、２２ｃならびに熱交換器２８ａおよび２８ｂ内の導管２６で形成され、他方の流路は配管２４ａ、２４ｂ、２４ｃならびに熱交換機２８ｃおよび２８ｄ内の導管２６で形成される。
【００９６】
冷却ユニット３０は、冷却液流出管３４と冷却液戻り管３６を含むシステムによって、冷却液を直列に配置された熱交換器２８の導管３２内を循環させる。飲料パイプ２２ａおよび２４ａは、冷却液管３４および３６とともに知られた方法で束ねられ、パイソン３８を形成する。熱交換器２８は、平板熱交とすることができる。
【００９７】
連続的に動作する循環ポンプ４０は、流路２２および２４の間の、パイプ１２とそれら流路との分岐点に隣接する位置まで延びている。その結果、流路２２、２４とポンプ４０は循環循環ループ２２、２４、４０を形成することになり、バブル１０閉鎖時には飲料がその中を連続的に循環する。
【００９８】
図１に示すように、飲料分配ユニット１８において、熱交換器２８はカバー２０内にあるがバルブ１０および放出口１４はカバーの外側とすることができ、また循環ポンプ４０と飲料パイプ２２ａおよび２４ａの一部を含む循環ループの一部もカバーの外側にあって、バーの周囲温度に曝しておくことができる。
【００９９】
所望であれば、パイプ１２を、知られた方法によって冷却液流出管４４と冷却液戻り管４６を含む別の冷却パイソン４２に組み込み、冷却液を冷却ユニット４８から同ユニットへと運ぶこともできる。
【０１００】
概して言えば、飲料用装置、特に飲料分配ユニット１８と熱交換器２８によって提供される装置は、バルブ１０開放時に放出口１４から流出する飲料が、周囲大気圧下で氷の凝固点を下回る温度となるように飲料を冷却する。例えば、飲料は実質的に−１℃から実質的に−１２℃の温度範囲で飲用容器または飲用グラス内に流出する。上記温度範囲は、実質的に−４℃から実質的に−６℃であればよい。約４．５％ａｂｖの飲料を使用する場合には−５℃の目標温度を目指すことになる。
【０１０１】
バルブ１０閉鎖時には、飲料は自動的にループ２２、２４、４０を循環することになり、従って飲料が停滞し、凍り始めて、バルブ１０に通じるサプライ路をふさぐことはあり得ない。
【０１０２】
例えば各種ビールなどの、慣習的に飲料上の泡を伴って供される樽抜き飲料の場合、放出口１４が知られたオリフィス板または他のデバイスを含み、あわ立ちを促進するようにしてもよい。
【０１０３】
図２において、樽抜き飲料５０が放出口１４（図１参照）から飲用容器５２（例えばグラス）に供給されると、同飲料は周囲大気圧および周囲温度に曝されて温度上昇を始め、例えば−３℃まで上昇する。するとほとんど間を置かずに、容器５０の上端付近、飲料の上部液面上にスラグ程の氷５４ａが形成する。（本発明者等の考えによれば）この氷は、溶存ガスの泡形成によって生じた核部位が原因で形成される。飲料５０が飲料上の泡５６を備える場合、氷はその飲料上の泡の下に形成される。形成される氷またはその大部分は半解けの雪に近いことがあり、すでに飲料を形成している水によって形成される。図３の５４ｂ、図４の５４ｃに示すように、スラグ程の氷は容器５２を実質的に占有するまで成長する。氷の成長（１パイントグラス中）は１〜２分内で達成され、見た目に魅惑的であって、氷の成長と気体の発泡に基づく興味深い視覚的効果を生み出す。また別の興味深い視覚的効果は、図１の装置から飲料容器に供給される冷えた飲料が、冷やされていない飲料に較べて長時間容器の中で渦を巻くことである。
【０１０４】
氷の形成によって興味深い視覚的効果が生み出されるだけでなく、氷の存在によってドリンクはより長時間冷たい状態が保たれる。また、氷は飲料中の水分で形成されるため、氷によって飲料が薄められることがない。実際、アルコール飲料の場合、氷が形成されても容器内のアルコールの全体量は同じであるが、水分が氷に使われるため、残る液状飲料のアルコール強さは氷が解けるまで増すことになる。
【０１０５】
飲用容器５２は、氷の形成を助長するように形づくられる。図５において、領域５８（粗面を有する）は、核部位の形成を助長してさらなる氷スラグ５４ｄの形成を促進し、氷スラグ５４ｄは矢印Ａで示すように上昇して飲料容器５２の上端から発達しつつある氷スラグ５４を大きくする。
【０１０６】
図６において、飲料５０のボディー部でのさらなる氷５４ｅの形成は、図６に示す細長い道具または棒６０をボディー部に挿入することで助長され、また、核部位の発達をさらに促すような、下端および軸部にそれぞれ構造６２および６４を有するかきまぜ棒によって助長される。別の例では、ドリンクの温度が安全に飲める温度まで上昇しきっているかどうかを調べるのにも使用できる温度計本体を、棒６０とすることもできる。このような道具を使って氷を押し動かすこともできる。
【０１０７】
図７において、氷５４および飲料５０に着色した領域または筋が示されている。これら着色形成物は、非毒性の食用着色材料または染料を飲料５６中に放出することによって形成される。このような氷および飲料から浮き出て見える着色材料または染料は、前述のような道具によって飲料中に注入または導入することができる。
【０１０８】
飲料容器５２は十分透明な壁面を有することが好ましく、それによって飲料５０中の氷スラグ５４の形成が観察でき、その変化する性質を視覚的に味わうことができる。
【０１０９】
飲料容器５２は、温度変化に伴って自動的に色が変わるような材料（例えば熱変色性材料）で形成することができ、またそのような材料で形成した外表面を備えることができる。興味深い視覚的効果を添えることとは別に、特定の色を得ることによって、飲料が飲むに適した温度にあることを知ることもできよう。
【０１１０】
水分および溶存ガス分を有する飲料であればいかなる種類のものでも使用できるが、本発明の視覚的性質はラガーによって証明されると本発明者等は考える。
【０１１１】
図８において、樽抜き飲料７０（例えばラガーなどのビール）は、送出口１４（図１参照）から、例えば好ましくは比較的丈があって透明な壁面を有するグラスなどの飲用容器７２に供給される。
【０１１２】
容器７２は、飲料を収容する前に冷やしておくことが好ましい。容器７２は、実質的に４℃以下まで冷やすことができる。例えば、知られているボトル冷却装置を使って容器７２を実質的に４℃まで冷やすこともでき、また知られているグラス・フロスタを使って容器を実質的に０℃まで冷やすこともできる。飲料上の泡は参照番号７４で示されており、容器に全計測分量の飲料がはいっている時、例えば１パイントのビールがはいっている時には、容器７２の上端より幾分下にあることが好ましい。
【０１１３】
冷たい飲料が冷えた容器７２に注がれると直ちに（数秒後）、容器は、超音波発生装置８０の皿部分７８内の浅い水７６中に置かれる。本発生装置において、皿７８は超音波エミッタ８４を含む底部分８２にしっかり取り付けられている。エミッタ８４は、実質的に２０ｋＨｚ〜７０ｋＨｚの周波数範囲の超音波信号を放出するよう配置されている。例えば、飲料には上述の周波数範囲から選択された実質的に３０ｋＨｚまたはそれ以外の周波数の超音波信号が加えられ、水層７６は超音波を所望の時間供給する、ただし通常数秒という短時間であって、例えば実質的に１〜５秒間、さらに具体的には約３〜４秒間供給する。ユーザーが、例えばスイッチを押すまたは制御装置の設定を変えるなどして超音波適用時間を変えることができる。
【０１１４】
超音波信号を短時間（おそらく数秒〜約１０秒間）適用した結果を図９に示すが、同図では、飲料を超音波信号に曝すことで、液状飲料全体にわたって相当密度かつ急激な多量の溶存ガスの泡８６の塊の形成が促進されている。これによって飲料上の泡７４の高さが増すことになる。図１０に示すように、飲料上の泡７４は容器７２の外まで盛り上がることができる。気体の泡は核部位を形成し、飲料上の泡の真下に氷の塊８８Ａがすばやく形成されるのを助長する。氷８８Ａは幾分半解けの雪のような性質をおびていることがある。図１１に示すように、一定時間、半解けの雪８８Ａの塊は成長し、飲料上の泡７４は盛り上がるが、気体の泡はもはやそれほど多くない。それにもかかわらず、気体の泡は核部位として作用し、そこで飲料のボディーに氷８８Ｂが形成されるのを助長する。この氷８８Ｂは、例えばひとひらの雪のような薄片の性質を帯びており、上昇し、塊になって、半解けの雪状の氷の塊８８Ａの下面に薄片状の氷の塊８８Ｃを形成する。図１２および図１３に示すように、一定時間氷の薄片の形成が続き、それらは上昇し、飲料７０中で氷の塊８８Ｃを下方に拡張する。
【０１１５】
図８に示す段階から図１４に示す段階まで進むのに僅か１〜２分掛かるだけである、したがって気体発泡の増加、氷の形成および目に見える発達は相当迅速に起こっており、グラス７２を通して観察するには興味深くかなり驚くべき現象といえる。
【０１１６】
ドリンク・バーにいる顧客向けイベントの劇場的効果、ドラマ的効果または驚嘆効果を高めるために、装置８０の操作に、自動的に（または手動によって）発生する、例えばドラマチックな、または響きのよい、または旋律の豊かなサウンドを発する音響装置を使って機械的にあるいは電気的に生み出されるような可聴パフォーマンスを添えることができ、また、装置８０の操作に、例えば目に見える光のきらめきなどの、イメージ豊かな光の表示を添えることもできよう。これらは例えば稲妻のきらめきをまねしてもよい。その場合、可聴パフォーマンスは雷鳴に似た音を含むことができる。
【０１１７】
所望であれば、超音波を加えるときには、容器７２をバーにいる客の視界から隠してもよい。例えば、カウンター上またはその付近に置かれたエンクロージャの１側面のまたは複数の側面の視界から隠すことができ、そのエンクロージャを「マジック」またはマジシャンの箱もしくはキャビネットと称することもできよう。
【０１１８】
飲料は薄い色であることが好ましい。例えば、ラガーなどの薄く着色したビールが好ましい。
【０１１９】
飲料７０中での氷形成は、興味をそそる光景であるというだけでなく、客に対して飲料が冷えていることを示し、また飲料がそれに含まれる水分以外の水でできた氷を添加することで薄められていないことを示すのにも役立つ。
【０１２０】
十分な飲料上の泡７４によって氷の断熱、特に飲料上の泡の上方からの断熱が可能になり、それによって長時間の氷の持続が容易になり、結果として冷却効果期間の持続が容易になる。また飲料上の泡７４の下方の氷も、飲料上の泡の存在の持続を容易にし、１０分、１５分、または最も好ましくは２０分程も持続することがある。
【０１２１】
図１５において、飲料上の泡７４は、例えば１５分程の時間が経過すると、しぼみ始め（中心においてしぼみ始め、容器の壁面から離れ始め）るが、なおしぶとく残って氷を断熱し容器７２内で飲料に魅力的なプレゼンテーション効果を与えている。
【０１２２】
超音波信号を加える別の方法を図１６に示すが、同図においては、容器またはグラス７２に図１の装置２によって飲料７０が計量分配された後、ケーブル９２を介して電力供給される超音波プローブ９０が飲料中につけられ、エミッタ８４Ａが超音波信号を発する。プローブ９０は、容器内に全計測分量の飲料が供給される前に、飲料中に挿入することもできる。
【０１２３】
図１２において、飲料分配用放出口１４は、例えば超音波エミッタ８８Ｂを備えることによって、超音波プローブとして作用するよう配置されている。
【０１２４】
図１２の超音波プローブ１４は、ビールが容器７２に向かってそこを通過する間に超音波信号を発することができ、かつ／または、計測分量の飲料が供給されている間にもしくはすでに供給されてしまった後に、図に示すように部分的に飲料に浸されて容器７２内の飲料７０中で超音波信号を発することができる。
【０１２５】
図１８は、別のグラス１７２の（例えば１パイントの）飲料１７０、この場合ラガーが、例えば飲料の入ったグラスが図８に示したように冷却液（水）中に置かれ、その底部においてのみ超音波エミッタによって（矢印Ｘで示すように）励起されている状態を示す。図１８は、約３秒間程度超音波によって励起した後のグラス１７２を示すものであるが、グラスは依然超音波によって励起されている状態であって、飲料上の泡１７４が泡を形成し始めている状態である。図から分かるように、飲料１７０の全体積にくまなく及ぶ比較的小規模の全般的な泡形成に加え、グラス１７２の高さ方向およそ中間に位置する一連の水平の「白い縞」において活動が活発である。白い縞１２０の間には、白がやや薄い縞１２２、すなわち、より飲料の色すなわちラガーの色に近い縞が間隔をおいて配置されている。典型的な場合、２から４本の白いバンド１２０が見え、著しい泡形成は、それら「縞状の領域」１２０、１２２の上方および下方で起こる。
【０１２６】
縞１２０、１２２の形成によって、その縞が持続している数秒の間、飲料入りグラスには魅力的な外観が備わる。これらの縞は、超音波励起によってグラス１７２に定在波が形成されることと関連していると考えられており、またグラスの最も振動する領域を表すものと考えられている（この考えは推論にすぎず、限定的なものではない）。縞１２０、１２２は一般にグラスの高さ方向の中間の位置に形成するが、ぴったり中間というわけではなく、例えば上端から１／３〜２／５程下（または下端から同程度上）に位置する場合もある。
【０１２７】
図１８のグラス１７２がボディー部１２６より狭い口１２４を有することに留意されたい。狭い口を有することでより深く、より長時間もつ飲料上の泡が形成されると考えられている。このことは、口の狭いグラスに入ったビールは、側面が垂直な容器または側面が外側に開いた容器に入れた場合と比べ、その飲料上の泡の露出表面積が小さいという事実と関連しているかもしれないし、あるいは関連がないかもしれない。
【０１２８】
本発明者等の試験によれば、最良の／より良い結果は半パイントの飲料に関してではなく、１パイントの飲料に関して得られることが分かる。このことは、半パイントの飲料に較べて１パイントの飲料の熱容量が大きいこと、また飲料の露出表面の体積比が大きくなればなる程、環境への露出の影響が小さくなり／局所的な環境への熱伝達効果が遅くなることと関連していると言えよう。
【０１２９】
図１９は、約３分経過後（約１０分経過後も別の方法で調べたが、３分経過後のグラス一杯のラガーの外観と１０分経過後の外観の間にはほとんど変化がない）の図１８に示した１パイントのラガーを説明する図である。飲料上の泡１４は、予想したよりは幾分深く、グラス１７２の上方に僅かに突き出ている。グラス１７２の直径の端から端にわたって、飲料上の泡の下に延びる比較的薄い層の氷１８８Ａ（約０．５〜数ミリメートル）があり、また澄んだビール中を恐らく２〜５ｃｍ程下方に延びた、垂れ下がるように突き出た薄片状の氷１８８Ｂがある。突起１８８Ｂは少なくとも３ｃｍ下方に延びていればよく、５ｃｍがその長さの上限であると必ずしも考えるわけではない。突起１８８Ｂは概して中心にあるが、グラスの中心軸からははずれることがある。その先端はふもと（ふもととは、飲料上の泡１７４に隣接する部分である）に較べて狭くなっている。
【０１３０】
このような氷を形成する飲料を作成することそれ自体が、新規なことであり、また消費者が望むような視覚的に他と区別される製品を提供することになる。
【０１３１】
さらに、グラス一杯の飲料を超音波励起する間に縞を作成することも、視覚的に他に見られない製品を作り出すことであり、また消費者に対して他と区別される製品提供方式を作り出すことになる。
【０１３２】
図２０において、樽抜きシードルを供給する装置は参照符号２０２で表される。
【０１３３】
樽抜きシードルは小樽または大樽２０４にしこまれている。前述のように、シードルは水分と溶存ガス分を含んでいる。
【０１３４】
この気体は、適切な非酸化気体であればいかなる気体であってもよく、例えば二酸化炭素および／または窒素が挙げられる。シードル中の溶存ガスの量は、各種シードルにおいて通常の知られている範囲内であればよい。
【０１３５】
溶解二酸化炭素含量は、実質的に体積で１．８％、かつ／または溶解窒素含量は、実質的に１８百万分率（ｐ．ｐ．ｍ．）である。
【０１３６】
ポンプ２０６は、大樽２０４から逆止バルブ２０７を介しさらにパイプ２０８に沿って、それ自体知られている（図示せず）冷却済みパイソンの中にシードルを押し出すよう備えられており、パイプ２０８は、それ自体知られている遠隔冷却システム内に熱交換コイル２１０を含んでいる。パイプ２０８はチラー２１６の浴２１４内の冷却コイル２１２に通じており、同冷却コイルからは、パイプ２０８Ａが、ドリンク・バーに備えられている分配放出口またはノズル２２０の（それ自体知られている）手動バルブ２１８に通じている。浴２１４は、例えばエチレングリコール５０％／水５０％のエチレングリコール／水冷却用混合物２２２を含んでいる。冷却用混合物２２２は、コンデンサ２２８、冷媒ポンプ２３０および膨張装置２３２を含む冷凍装置２２６の蒸発器２２４によって冷却される。ポンプ２３４は、パイプ２０８Ａと共に別のパイソン２３８を形成する配管２３６によってを冷却混用混合物２２２を循環させる。
【０１３７】
大樽２０４内の最高圧力は、適当なサプライ２４０からの一面の非酸化／加圧気体（例えば二酸化炭素および／または窒素）によって知られている方法で付与され、その気体によってポンプ２０６のシードル抜き出しが容易になっている。
【０１３８】
大樽２０４の最高気体圧力は、実質的に２０６．８４ｋＮ／ｍ２（３０１ｌｂｓ／ｉｎ２）である。
【０１３９】
ポンプ２０６によって、パイプ２０８、２０８Ａ内の圧力を実質的に５１７．１２ｋＮ／ｍ２〜５５１．５８ｋＮ／ｍ２バルブ（７５から８０ｌｂｓ／ｉｎ２）とすることができる。通常ポンプ２０６は動作しておらず、したがってバルブ２１８が開放されると、パイプ２０８、２０８Ａ内に蓄えられるポンプ圧力は、ポンプ制御装置（図示せず）のスイッチ２４４によってポンプ２０６を作動させ実質的に７５から８０ｌｂｓ／ｉｎ２のポンプ出力圧を付与することによって認められる所定かつ所望の圧力以下まで低下する。チラー２１６は、放出口ノズル２２０に向かって通過するシードルを、実質的に−１℃から実質的に−１２℃の範囲にある所定の温度、例えば−６℃まで冷却するよう配置されている。シードルは所定の温度でノズル２２０に到達し、ノズルから上面が開いた容器４６（図２）、例えば飲用グラスなどの飲用容器中へ流れ出る。図２０において、放出口ノズル２２０の開口から流れ出るシードルは、（それ自体知られている）スパークラ２４７内を通過する。上記スパークラ２４７の代わりに、またはそれに加えて、知られているオリフィス板をノズル２２０に取り付けることもできる。しかし所望であれば、オリフィス板およびスパークルのいずれも取り付けなくてよい。
【０１４０】
バルブ２１８が閉鎖されると、圧力スイッチ２４４は、パイプ２０８、２０８Ａ内の圧力が所定の圧力を上回って蓄積されていることを観測し、制御装置がポンプ２０６のスイッチを切る。
【０１４１】
図２１において、樽抜きシードル２４８は、送出口２２０（図２０参照）から、例えば好ましくは比較的丈があって透明な壁面を有するグラスなどの飲用容器２４６に供給される。容器２４６は、シードルを収容する前に冷やしておくことが好ましい。容器２４６は、実質的に４℃以下まで冷やすことができる。例えば、知られているボトル冷却装置を使って容器を実質的に４℃まで冷やすこともでき、また知られているグラス・フロスタを使って容器を実質的に０℃まで冷やすこともできる。容器に全計測分量の飲料がはいっている時、例えば１パイントのシードルがはいっている時の飲料上の泡を参照番号２５０で示す。
【０１４２】
冷たいシードル２５０が冷えた容器２４６に注がれると直ちに、容器は、超音波発生装置２５６の皿部分２５４内の浅い水２５２中に置かれる。本発生装置において、皿２５４は超音波エミッタ２６０を含む底部２５８にしっかり取り付けられている。エミッタ２６０は、実質的に２０ｋＨｚから７０ｋＨｚの周波数範囲の超音波信号を放出するよう配置されている。例えば、シードルには上述の周波数範囲から選択された実質的に３０ｋＨｚまたはそれ以外の周波数の超音波信号が加えられ、水層２５２は超音波伝送経路または連結器を提供する。シードル２５０には所望の時間、超音波が加えられる、ただし通常数秒という短時間であって、例えば実質的に１から５秒間、さらに具体的には実質的に５秒間である
超音波信号を短時間適用した結果を図２２に示す。同図において、超音波信号に曝したことによって、液状シードル２４８全体にわたって急激な溶存ガスの泡形成が促進され、形成された一部の泡２５２Ａは比較的大きく、一方他の泡２５２Ｂは比較的小さくて波線状に集合し、くねくねと上方に移動する。これによって飲料上の泡２５０の高さまたは深さが増すことになる。気体の泡は核部位を形成し、この核部位によって、シードル２５０内にはシードルの水分を原料とした氷が迅速に形成される。氷も上昇する。氷は半解けの雪のような性質をおびていることがあり、飲料上の泡２５０の下方で塊になって、シードル内に図２３に示すような半解け雪状の氷の塊２６２を形成する
図２１に示す段階から図２３に示す段階まで進むのに僅か１〜２分掛かるだけであり、したがって気体の発泡や、氷の形成および目に見える発達は相当迅速に起こっており、グラス２４６を通して観察するには興味深い現象といえる。
【０１４３】
シードル２４８中での氷形成は、興味をそそる光景であるというだけでなく、客に対してシードルが冷えていることを示し、またシードルがそれに含まれる水分以外の水でできた氷を添加することで薄められていないことを示すのにも役立つ。
【０１４４】
最も興味深い特徴の一つは、グラス一杯のシードルの飲料上の泡２５０が相当時間持続すること、すなわち、知られている方法によってシードルに生じる飲料上の泡に比べて数倍時間持続することである。飲料上の泡２５０は２０分程度持続することがある。その長時間持続の原因としては、（ｉ）氷の塊２６２が液状シードル・ボディーから離れようとする気体に対してシールまたはバリヤとして作用していること、かつ／または（ｉｉ）氷２６２が飲料上の泡２５０を冷やしていることなどが考えられよう。
【０１４５】
超音波信号を加える別の方法を図２４に示すが、同図においては、容器またはグラス２４６に図２０の装置２０２によってシードル２４８が計量分配された後、ケーブル２６６を介して電力供給される超音波プローブ２６４がシードル中につけられ、エミッタ２６０Ａが超音波信号を発する。プローブ２６４は、容器２４６内に全計測分量のシードルが供給される前に、シードル中に挿入することもできる。
【０１４６】
図２５において、シードル分配用放出口２２０は、例えば超音波エミッタ２６０Ｂを備えることによって、超音波プローブとして作用するよう配置されている。図２５の超音波プローブ２２０は、シードルが容器２４６に向かってそこを通過する間に超音波信号を発することができ、かつ／または、計測分量のシードルが供給されている間にもしくはすでに供給されてしまった後に、図に示すように部分的にシードルに浸されて容器２４６内のシードル２４８中で超音波信号を発することができる。
【０１４７】
図２６を参照すると、装置３０２によって冷却された飲料は水を含有している。その飲料は溶解ガス分を有する可能性もあり、したがってたとえばガラスなどの容器へ飲料を供給する間に、たとえば前に記載したようにガスが泡立ち、氷の形成を促進するための核生成部位を形成する可能性があり、または他の手段が提供されて核生成体の形成が促進されるか、このような部位が提供される可能性がある。これはたとえば、分配または供給される行程において飲料に超音波を加えること、および／または分配または供給される前に、および／または分配または供給される地点に移動している飲料の流れに加えられる前に、および／または容器中に供給された飲料（このとき飲料は前記容器に送られているかまたは送られた直後である）に加えられる前に、核生成促進物質を飲料中に、たとえば粒子状物質の固体（サイズの細かいものであってよく、飲料中に含まれる）を提供することによる。飲料はアルコール性または非アルコール性であってよい。後者の場合、飲料はフルーツ・ジュースであってよい。フルーツ・ジュース中の核生成促進物質は果物の断片であってよく、たとえばオレンジ・ジュースでは、核生成促進物質はオレンジの果肉の片またはフレークを含んでよい。飲料がアルコール性の場合、それは溶解ガス分を有している可能性があり、たとえば前に開示したようにビールまたはシードルである可能性があり、またはたとえばスピリッツ、リキュール、泡立たないワインなど溶解ガス分をほとんどまたは全く有していない可能性がある。
【０１４８】
装置３０２では、適切な断熱材３０６で囲まれたインレット・ライン３０４に沿った知られている推進手段によって、適切な供給体（それ自体知られている）からの飲料が適切な冷却温度で供給される。この手段は、分配またはアウトレット・ノズルにおいて飲料の送達が必要とされるときに、アウトレット・ノズル３１２を含む飲料ディスペンサ３１０に所望の知られている体積の飲料を送達するための、知られている測定装置３０８を含む。飲料または生成物用インレット・ライン３０４は生成物用フロー・ライン３１４につながっており、これは冷却コイル３１６、ポンプ３１８およびクーラー３２２、たとえばペルティエ・クーラーを介した流れ通路３２０を含み、ディスペンサ３１０につながっている。クーラー３２２はフラッシュ・クーラーであってよい。ディスペンサ３１０が飲料用容器、たとえばグラス３２４に飲料を供給することを必要とされていないとき、飲料はディスペンサ３１０中の通路を通ることができ、そこから生成物用ライン３１４の他の連続部分に沿って、中央通路またはパイソンのチューブ３２６、または断熱材３３０を含むチューブ熱交換器３２８中のチューブ、および生成物用チューブ３２６で囲まれたチューブ３３２に続いていく。生成物用チューブ３２６からの出口端３３４では、生成物用流れ通路３１４が戻り止めバルブ３３６を通って、インレット・ライン３０４とフロー・ライン３１４の間の接合部３３８に続いている。
【０１４９】
生成物冷却コイル３１６はクーラー、または断熱タンク３４２、低温、たとえば実質的に０℃の水３４４、水浴を冷却する冷却剤を保有しておりマントル３４８中において氷で覆われている知られているコイル３４６、駆動型水撹拌手段３５０、および水冷却コイル３５２を含む水浴３４０の中にある。
【０１５０】
３５６において適切に断熱された水のインレット・ライン３５４上で適切な手段によって、熱転移目的の供給水が供給される。インレット・ライン３５４は接合部３６０を介して水の循環ライン３５８を供給し、ライン３５８は水冷却コイル３５２、ペルティエ・クーラー３２２を介して通路３６４に水を供給する駆動型水用ポンプ３６２を含む。通路３６４からは水用ライン３１４が、戻り止めバルブ３６６、およびパイソン３０２の外側チューブ３３２を介して接合部３６０に続く。ポンプ３６２とペルティエ・クーラー３２２の間で、水用ライン３１４が接合部３６８において、電気によって制御されるバルブ３７２を含む他の断熱されたライン３７０に分かれ、たとえばこのバルブはソレノイド・バルブであり、液滴回収機の上に立っているグラス３２４の外側で冷却水のジェットをスプレー冷却するための、内側に向いているジェットまたはノズル３６７を備えるＵ型マニホールド３７４、またはそこから回収された液体（水）をアウトレット３８０を通して排出することができるトレイ３７８への冷却水の供給をこのバルブが制御する。
【０１５１】
装置３０２は電気制御装置（図示せず）を含み、この装置が飲料を分配する用意ができている条件のとき、ポンプ３１８および３６２は連続的に作動することができる。望ましい所定の冷却第１温度でインレット・ライン３０４上に、適切な供給体からの飲料を供給することができる。分配の需要があるとき、たとえばディスペンサ３１０上のボタン３８１を押すことによって、制御装置はバルブ３７２を開くことができ、その結果冷却水がグラス３２４上にスプレーされてグラスを冷却する。数秒後、制御装置はディスペンサ３１０中の電気バルブ、たとえばソレノイド・バルブを開かせ、その結果ディスペンサはそこにポンプで送られ測定装置３０８によって決定された測定体積の飲料送達し、送達後にバルブは閉じる。ディスペンサが飲料を送達し始めたとき、または開始の前または後に、制御装置はバルブ３７２を閉じさせて、冷却水のノズル３７６への供給を停止させる。コイル３１６から出てくる飲料は、前記第１の所定の温度よりも低い第２の所定の望ましい温度に冷却される。ディスペンサ３１０に達する直前に、ペルティエ・クーラー３２２によって飲料がさらに低い所定の第３の温度に冷却され、実質的にこの温度で飲料がグラス３２４に入る。飲料は水を含み、前記第３の温度は水の凝固点よりも低い。ディスペンサ３１０がさらなる飲料の供給を自動的に停止させる（望ましい測定量は分配されているので）ときまたはその直後に、制御装置はバルブ３７２を数秒間、たとえば１または２秒再び開かせて、グラスの外側に冷却水を再びスプレーし、そのいかなる凝縮物の曇りも取り払うことができ、その結果グラス内に存在するものよりはっきりとした外観を与える。ディスペンサ３１０から飲料を送るのと同時または実質的にこの間に、飲料を実質的に前記第３の所定温度に冷却するために、ペルティエ・クーラー３２２のみを作動させることができる。
【０１５２】
グラス内では、飲料に刺激が与えられて核生成部位が引き起こされるかまたは作成され、そこで氷が形成されて目に見える表示（すなわち前に記載するもの）が生成される可能性がある。このような刺激とは、泡立つ溶解ガス分を飲料に加えること、および／または超音波の影響を飲料に与えること、および／または飲料を提供すること、または飲料にある種の核生成誘導手段、たとえば固形物質（無毒で食べられるものが好ましい）を加えることである。加える超音波は２０から４０ｋＨｚの範囲であってよい。ディスペンサ３１０は、ドリンク・バーのカウンターに備え付けることができるフォントの一部であってよい。いかなるフォントも客の横に取り付けて、グラス３２４の充填のより良い外観、およびそのなかでの発展を客に与えることができる。「ｓｉｄｅ−ｏｎ」によって、フォントの脚または柱部分が必ずしも客とグラスとの間にあるわけではないことが意味される。形成される氷の最大量は飲料体積の約２５％までであってよいが、約１０％までが満足のいくものであると考えられる。
【０１５３】
望むならば、前に記載したように、供給される飲料に超音波をかけることができる。一実施例では、超音波エミッタ３８２をノズル３１２上に取り付けることができる。ノズルは曲がっているか湾曲しているか、またはそうではない場合は供給される飲料を内側表面に対して向けるために、そのアウトレット端をグラス３２４の上側部分の内側表面に対して閉じることができるように向けられている。
【０１５４】
図２７では、ノズル３１２のアウトレット端３１２Ａを越えて超音波エミッタ３８２Ａを配設して、超音波の影響を供給された飲料に与える。供給される飲料の流れの軸の周りにエミッタ３８２Ａを配設することができ、それはたとえばリング、たとえばトーラスの形をとり、そこを少なくとも数種の飲料が通過する。エミッタとノズル３１２の間に固体、超音波伝達通路がない（または最小限のものがある）ように、（たとえばサポート・アーム３８３上に）エミッタ３８２Ａを取り付けることができる。
【０１５５】
望むならば、飲料フロー・ライン３１４は電気的に操作されるバルブ３８４、たとえばソレノイド・バルブを含んでもよく、このバルブは制御装置によって操作されディスペンサ３１０が飲料を送達するとき閉められる。
【０１５６】
望むならば、無毒であり食べられるであろう着色物質を、ノズル３７６からグラス３２４上にスプレーされる水に加えることができ、その結果ガラス冷却水が魅力的な色および／または蛍光で現れる可能性がある。
【０１５７】
飲料がディスペンサ３１０から供給されていないときに、それを用意のできた分配状態に保つためには、フロー・ライン３１４の周囲にアイドル・モードで飲料を連続的に循環させることができ（ノズル３１２から供給されることなく飲料はディスペンサ３１０を通過する）、その結果、飲料がコイル３１６に戻るとき、パイソン・チューブ３３２中の水が飲料に熱を加えて、飲料の凍結を防ぐためにクーラー３２２によって引き起こされる前記第３の所定温度から飲料を暖める。飲料がアイドル・モードで循環しているとき、望むならばポンプ３６２を異なる速度、たとえばより低い速度で操作することができ、このときまでディスペンサ３１０は飲料を送達している。
【０１５８】
望むならば、アイドル・モードでは、ペルティエ・クーラー３２２中の電流を自動的に逆転させるために制御装置を配置することができ、後者はそこを通過する飲料に連続的または断続的にいくらか熱を加えて、飲料が凍結するチャンスを減らすことができる。望むならば、飲料フロー・ライン３１４は流れ検出手段および／または温度感知手段を含むことができ、したがって凍結状態の飲料が生じる場合、制御装置が作動して、飲料が凍結するチャンスを妨げるかまたは減らすために、そこを流れる飲料に逆に熱を加えるようにペルティエ・クーラー３２２を作動させる。
【０１５９】
水冷却コイル３５２から出ているフロー・ライン３５８中の水は、実質的に前記第２の所定温度であってよい。したがってアイドル・モードでは、パイソン３２８中の飲料および冷却水は実質的に同じ温度であってよい。
【０１６０】
一例として、実質的に６°から８℃の前記第１の所定温度でインレット・ライン３０４上に飲料（たとえば貯蔵庫からのもの）を供給することができる。コイル３１６を出ていく際に、飲料の第２の所定温度は実質的に０°から１℃（たとえば０．５℃±０．５℃）であってよい。コイル３５２から出てくる水も、実質的に０℃から１℃の温度であってよいが、熱のためにノズル３７６から実質的に２℃でピックアップが生じる可能性がある。装置３０２が飲料供給モードであるとき、ペルティエ・クーラー３２２は供給され分配ノズル３１２に分配される飲料を、実質的に−５．０℃（たとえば−４．５℃±０．５℃）の第３の所定温度に冷却する。飲料がディスペンサ３１０によって供給されているとき、パイソン３２８のチューブ３３２から出てくる水の温度は実質的に２．０℃であってよい。クーラー３２２のスイッチをオフにしたアイドル・モード下では、実質的に０°から１℃の温度で、ライン３１４中を飲料が循環する可能性がある。この例の中で指定する温度は、飲料がビール、たとえばラガーであるとき、適切である可能性がある。
【０１６１】
水浴３４０とクーラー３２２は、たとえばドリンク・バーのようにディスペンサ３１０の近くに配設されていることが好ましく、したがって水浴とディスペンサの間のフロー・ライン３１４の一部分は比較的短い。
【０１６２】
グラス３２４は、球形またはボール形の広い部分をその上側端に有する、たとえばチューリップ形のトール・グラスであってよい。あるタイプのグラスがノズル３１２の下に置かれる場合は、装置のみを使用して飲料を分配することができるように装置を配置することができ、そうでない場合は不具合のシステムが装置の飲料供給操作を妨げる。
【０１６３】
飲料、たとえば１パイントのビール、たとえばラガーを分配する際には、以下の手順に従うことができる。
【０１６４】
（１）ボタン３８２を押して、分配モードを開始させ、
（２）ノズル３７６からの冷却水をグラス３２４の外側に数秒間、たとえば約５秒間スプレーし、次いで
（３）グラスへの飲料の充填を開始し、冷却スプレーの添加を数秒間長く続け、
（４）冷却スプレーは止めるが、グラスへの所望量の飲料の充填は続け、
（５）充填の最後の数秒間に飲料に超音波を加え、
（６）充填を止めたときに、冷却水スプレーを１秒または２秒間再び加える。
【０１６５】
アイドル・モードでライン３１４中を循環している飲料の体積は所定の決まった体積よりも大きく、装置を設定してノズル３１２から飲料を分配する。
【０１６６】
図２８から３０を参照すると、装置４０２、５０２または６０２によって冷却される飲料は水を含有している。その飲料は溶解ガス分を有する可能性もあり、したがってたとえばガラスなどの容器へ飲料を供給する間に、たとえば前に記載したようにガスが泡立ち、氷の形成を促進するための核生成部位を形成する可能性があり、または他の手段が提供されて核生成体の形成が促進されるか、このような部位が提供される可能性がある。これはたとえば、分配または供給される行程において飲料に超音波を加えること、および／または前に記載したような核生成促進物質、たとえば粒子状物質の固体を飲料中に提供することによる。超音波の場合、その周波数は前に記載したものであってよく、前に記載した供給手順の方法および時間で加えられる。たとえば装置４０２、５０２または６０２は、それぞれが図２６に関して前に記載したのと同様にアウトレット・ノズル３１２を有する以下に記載するディスペンサを有することができ、このディスペンサは図２６に関して記載したのと同様に超音波エミッタ３８２を含み、または図２８から３０中のノズル３１２は図２７に関して前に記載したのと同様に超音波エミッタと結びつき、その中の３８２Ａで識別することができる。
【０１６７】
装置４０２、５０２または６０２はそれぞれ、飲料測定、バルブおよびポンプの操作を調整および制御するために、それぞれの電気制御装置を有することができる。
【０１６８】
図２８を参照すると水浴が４０４で示され、氷のマントル４０８中に覆われている冷却コイル４０６によって、たとえば実質的に０℃に冷たく保たれている。この水浴は、望ましい限りは駆動型撹拌機４１０および水用ポンプ４１２も含む。グリコール浴４１４（水とエチレングリコールの混合物を含む浴）は冷却コイル４１６によって、たとえば実質的に−４．５℃に冷たく保たれ、駆動型撹拌機４１８および飲料用ポンプ４２０を含む。本質的によく知られている任意の適切な手段によって所望の低温で、インレット・ライン４２２上に溶解ガス分を有している可能性のあるドラフト飲料が供給され、この飲料は水浴４０４内の飲料冷却コイル４２４中で冷却される。飲料はビール、たとえばラガーであってよい。コイル４２４から冷却された飲料がライン４２６上を移動し、グリコール浴４１４中の他の飲料冷却コイル４２８に移る。コイル４２８から飲料がライン４３０および４３２上を移動し飲料用ポンプ４２０に移り、このポンプはライン４３４上の飲料を、アウトレット・ノズル３１２を有するフォントのディスペンサ４３６に送り、排出するためのアウトレット３８０を有する滴回収機３７８上の飲料用容器４３８、たとえばグラスに飲料を供給する。
【０１６９】
測定体積の飲料の送達が望ましいときは、ボタン４４０を押し制御装置を作動させて、大気圧での水の凝固点未満の所望の温度で、ディスペンサにノズル３１２を介して測定した体積を送達させる。飲料ディスペンサが必要とされないときは（アイドル・モード）、ディスペンサ４３６中の通過手段がポンプ４２０を循環させ（連続的であることが好ましい）、飲料は戻り止めバルブ４４４を含むライン４３４およびライン４４２を通り、グリコール浴４１４内の飲料用コイル４４６に移る。コイル４４６から、ライン４４８を介して飲料はポンプ４２０に戻る。望むならば、飲料用ライン４３４はクーラー４５０、たとえばフラッシュ・クーラーを含んでよく、これはペルティエ・クーラーであってよい。クーラー４５０は、飲料が所望の温度でディスペンサ４３６に達することを保証することができ、ペルティエ・クーラーの場合は、それを逆電流で操作して、アイドル・モードで循環している飲料がライン４３４、４４２中で凍結しないことを保証することができる。グラス４３８への飲料の送達が望ましいときは、ノズル３７６からスプレーされる冷たい水を、任意の所望の時間で制御装置の外側のグラスに加えて、バルブ３７２を開かせ水用ポンプ４１２からの水をライン４５２を介してマニホールド３７４に供給する。ポンプ４１２は連続的に作動することができる。バルブ３７２が閉じると、ライン４５４および戻り止めバルブ４５６を介して水浴中の冷却コイル４５８に水が戻ることができ、インレット・ライン４６０を介して適切な供給体によって上部の水が提供される。ポンプ４１２によってライン４５２、４５４の周囲で冷却水を循環させることができ、後者が提供される場合は４５６および４５８でクーラー４５０と接続することができる。
【０１７０】
図２９を参照すると装置５０２では、バルブ３７２は通過手段を含むことができ、これはバルブが閉じてノズル３７６への冷水の供給を妨げるときに配置され、水をライン４５２からライン４５４に移し、望むならば水用ポンプ４１２によって水を連続的に循環させることができる。ここでも実質的に−４．５℃の温度であってよいグリコール浴４１４は、駆動型グリコール用ポンプ５０４を含む。飲料ディスペンサ５０６はアウトレット・ノズル３１２を備え、飲料ディスペンサ操作ボタン４４０は制御装置に接続している。ディスペンサ５０６はフォントの一部を形成しタンクすなわちチャンバ５１０も含み、このチャンバはライン５１４によってグリコール浴４１４内の飲料用コイル４２８と接続され、ライン５１６によってディスペンサ５０８に接続されているビール冷却コイル５１２を含む。このディスペンサ５０８は、ボタン４４０の操作に応答して開くとき、適切な知られている手段によって推進され、水の凝固点未満の所望の温度で所望の測定体積の飲料を自動的に分配することができる。チャンバ５１０をグリコール充填することによって飲料用コイル４２８は冷たく保たれ、グリコールはライン５１８に沿ったポンプ５０４によってグリコール・タンク４１４からポンプで送られ、ライン５２０を通ってグリコール・タンクに戻る。電気ヒータすなわち加熱用コイル５２２が、望ましいときにチャンバ内のグリコールを加熱するために、チャンバ５１０中に備えられている。
【０１７１】
チャンバ５１０中のグリコールの量は最小限であることが好ましい。飲料用コイル５１２中に、圧力観察手段を提供することができる。たとえば所定の値より高いか、および／または圧力上昇の所定の速度より大きな速度でのコイル５１２中の飲料の圧力の上昇によって、飲料中の氷形成を検出することができ、制御装置が応答して作動しグリコール循環用ポンプ５０４を止め、チャンバ５１０内のグリコールおよびコイル５１２中の飲料を加熱するために、ヒータ５２２がスイッチオンにされる。温度が上昇すると、観察される飲料の圧力が低下し、制御装置が応答し、ポンプ５０４を再スタートさせ、ヒータ５２２の電源を切る。
【０１７２】
望むならば、クーラー５２４、たとえばフラッシュ・クーラー（ペルティエ・クーラーであってもよい）をライン５１４内に提供して、飲料が分配されているとき、水の凝固点未満の所望の温度で飲料がディスペンサ５０８に達することを保証することができる。クーラー５２４がペルティエ・クーラーである場合は、望ましいときはそれを逆電流で操作して、飲料が凍結しコイル５１２をブロックすることはないことを保証することができる。水用ライン５２６および５２８によって、クーラー５２４を水用ライン４５２および４５４に接続することができる。
【０１７３】
図３０を参照すると、たとえば実質的に０℃の温度の水浴４０４中の飲料用コイル４２４からの飲料は、ライン６０４および飲料用ポンプ６０６を介して、たとえば実質的に−４．５℃のグリコール浴４１４中の飲料用コイル６０８に移動し、そのコイルからクーラー６１２を含むライン６１０を介して飲料が供給され、飲料はフォントの一部を形成し飲料用アウトレットノズル３１２を提供する飲料用ディスペンサ６１４にも移動する。クーラー６１２はフラッシュ・クーラーであってよい。クーラー６１２は、グリコール用ポンプ６１８によってライン６１６を介してグリコールを供給するペルティエ・クーラーであってよい。そのグリコールはライン６２０上の浴４１４に戻る。ライン４２２上に供給される飲料は、たとえば水浴４０４中では実質的に０℃に、たとえばグリコール浴４１４中では実質的に−４．５℃に最初に冷却される。クーラー６１２からは、戻り止めバルブ６２３を含むライン６２２を介して、飲料がディスペンサ６１４に供給される。ディスペンサ６１４は通過手段と共に配置されており、ディスペンサ６１４がノズル３１２を通して飲料を供給していないときは、システム６０８、６１０、６２２、６２４の周りのポンプ６０６によって循環用のライン６２４に飲料が供給される。ボタン４４０を操作して制御装置を操作させると、装置はアウトレット・ノズル３１２を介して所定の測定体積の飲料を提供し、水の凝固点未満である飲料供給温度はクーラー６１２によって制御される。システム６０８、６２０、６２２、６２４の周りを循環している飲料が凍結する傾向があると検出される場合、このシステムに熱を加えることができる。たとえばクーラー６１２がペルティエ・クーラーである場合、そこへの電流が逆転して前記熱を提供することができる。グリコール浴４１４から出てくる飲料は実質的に−２℃の温度であってよく、これが飲料の再循環温度であってよい。クーラー６１２は、飲料がノズル３１２から供給されるとき、飲料を冷却するためにのみ作動することができる。
【０１７４】
図２６から３０に関して、より詳細には図２６から２７に関して前に記載した実施形態は、以下の特徴、特性または利点の任意のものまたはそれぞれを有することができる。
【０１７５】
（１）「アイドル・モード」では、ビールはループ中を連続的に循環する。アイドル・モードでは、ループ中のすべてのビールは約０℃である。再循環ポンプからペルティエ・クーラーへの「分配モード」では、ビールの温度は約０°であり、ペルティエ・クーラーは−５°付近（−５．５℃）までビールを冷却し、次いで非常に冷たいビールは分配用ソレノイドを通り、それが開いている場合はノズルから出るか、またはパイソン３２８に入り、そこでビールは再び約０℃に暖められ、ビールはループのごく一部分では−５．５℃であり、その部分が分配用ソレノイドを通る。この目的は安全なシステムを有することであり、この場合ビールが凍結する可能性はない。
【０１７６】
（２）分配システムは、「開始」ボタンを押すこと以外の手動による介在／保持／作業を必要としない。これによって、連続的な分配操作間の分配の整合性が得られ、必要とされるスキルが減る。
【０１７７】
（３）「開始」ボタンを押すと、氷浴からの水のジェットがグラスを冷却する。そのわずか後にペルティエ・クーラーのスイッチを入れ、約５または１０秒後にソレノイド・バルブが開き、スイッチがオンになり、分配容器からビールが出る。１パイントまたは半パイントが分配されると、ソレノイドが閉じペルティエ・クーラーがスイッチ・オフになる。
【０１７８】
（４）自動再加熱によって、それぞれの分配サイクルの前にシステムを予測可能な安定状態に戻すことができる。クーラー３４０中ではグリコールは必要とされない。なぜなら、任意の充分な長さの時間だけビールを氷点下で保存することはないからである。
【０１７９】
（５）分配装置はユーザの横にあるはずであり、したがってユーザは良い外観を得ることができる。
【０１８０】
（６）ノズルの端から配置され、サイド・アーム３８３上に固定されているトロイダル・リング３８２Ａを介して超音波を加えることができる。２０から４０ｋＨｚの超音波を加えることができる。
【０１８１】
（７）飲料の流れがグラスの中で作成されている飲料のメイン・ボディに結びつく前に、飲料の流れに超音波を加える。
【０１８２】
（８）飲料が環状超音波リング３８２Ａを通過するときこぼれないことは驚きであるが、飲料は層状の流れを有し、表面張力効果が助力している可能性がある。
【０１８３】
（９）連続的な循環を分配してアイドル・モードでの凍結を避けるために、氷点下の温度まで飲料を冷却するためのペルティエ・クーラー。
【０１８４】
１０．分配された飲料を受けるための冷却されたグラス、このグラスは冷たいものである必要があり、ガラスの熱容量によって氷の形成または目に見える表示が損なわれる可能性がある。
【０１８５】
１１．循環している飲料の体積は、分配される測定体積（たとえば１パイント）よりも大きくてよく、したがって必要とされるときは飲料の適切なグラスを即座に分配することができる。
【０１８６】
１２．グラスの冷却洗浄および飲料の分配は同時に進行するが、時間枠は重複している。
【０１８７】
（１３）ビール、たとえばラガーの分配中は、実質的にクリアなラガーのボディがグラスの実質的に上部に存在する可能性があり、次いで超音波のフラッシュによってこのラガーのボディが曇り、核生成が開始される。分配の終期またはその付近で核生成が誘導される。
【０１８８】
（１４）分配または供給サイクル中に、すなわち１つの分配または供給サイクルから他のサイクル中に、グラスのチリング、水のスプレーの色が変わる、すなわち変化する可能性がある。
【０１８９】
（１５）システムは１分間当たり少なくとも２種類のドリンク（それぞれに関して３０秒）を分配することができ、グラス時間の変化を可能にする。
【０１９０】
（１６）１回の分配操作中、冷却水のスプレーが始まり、次いで止まり次いで再開する。冷却水の最後の噴出は、冷却効果ではなくクリーニング効果を得るためのものである。すなわち水の添加の最初の期間は、飲料が導入され始める前にグラスの温度を下げるためのものであり、次いで飲料分配がちょうど止まるときに、最終クリーニング／水のクリーニング添加がある。
【０１９１】
本発明の各種態様は以下の通りである。
１． 上部開放容器に入った飲料であって、前記飲料が水内容物および溶存ガス内容物を含み、前記容器内で前記飲料が氷を覆う泡沫の飲料上の泡を有し、前記氷が飲料中で前記水内容物の水から形成される飲料。
２． 上部開放容器に入った飲料を冷たく保つ方法であって、前記飲料が水内容物および溶存ガス内容物を含み、前記方法が飲料に対して冷却効果を有する上部開放容器中の飲料の中での氷の形成を含み、前記氷が飲料中で前記水内容物の水から形成される方法。
３． 上部開放容器に入った飲料中で冷却氷を維持する方法であって、前記飲料が水内容物および溶存ガス内容物を含み、前記氷が飲料中で前記水内容物の水から形成され、前記方法が飲料の上への泡沫の飲料上の泡の供給を含むことによって容器内で前記氷が飲料上の泡の上から氷に向かう熱に対抗して氷の上で断熱材として作用する飲料上の泡で覆われる方法。
４． 上部開放容器に入った飲料中で飲料上の泡を維持する方法であって、前記飲料が水内容物および溶存ガス内容物を含み、前記方法が飲料の上への前記飲料上の泡の供給および飲料中で前記水内容物の水からの氷の形成を含み、前記容器内で前記氷が飲料上の泡の上側部分の下から飲料上の泡に対して冷却効果を有する方法。
５． 飲料が水内容物および溶存ガス内容物を含み、かつ飲料が容器内に注がれるときに飲料上の泡を形成することが可能であり、飲料の容器が多くの氷結晶でできた氷構成物の上に重なった飲料上の泡を有し、前記氷構成物が、容器に注がれたときまたは注がれた後の飲料中での氷の形成によって生じている飲料の上部開放容器。
６． 飲料が超音波信号の影響にさらされており、かつ飲料が容器に吐出される樽抜き飲料である、上記１または上記５に記載の飲料、または上記２から４のいずれか一つに記載の方法。
７． 樽抜き飲料が容器に吐出される直前に前記飲料が大気圧下での水の凝固点以下の温度まで冷却される、上記５または上記６に記載の飲料、または上記６に記載の方法。
８． 樽抜き飲料を上部開放容器に供給する方法であって、前記飲料が水内容物および溶存ガス内容物を含み、前記方法が大気圧下での水の凝固点以下の温度までビールを冷却することおよび冷却されたビールを前記容器に吐出することを含み、前記冷却された飲料が超音波信号の影響または他の氷および／または気泡の核形成手段の影響にさらされる方法。
９． 超音波信号が前記容器の外部から印加される、上記５から７のいずれか一つに記載の飲料、または上記８に記載の方法。
１０． 超音波信号が冷えた飲料に対して前記容器の内部で印加される、上記５から９のいずれか一つに記載の飲料、または上記８または９に記載の方法。
１１． 超音波信号発信器が容器内の飲料中に配置されて容器内の飲料に超音波信号を発信する、上記１０に記載の飲料、または上記１０に記載の方法。
１２． 飲料が前記容器に吐出される吐出口ないしノズルが超音波発信器として作用して前述した超音波信号を供給するように構成される、上記９、１０、または１１のいずれか一つに記載の飲料、または上記９、１０、または１１のいずれか一つに記載の方法。
１３． 前述した超音波信号が吐出口を流れる前述の飲料に印加される、上記１２に記載の飲料、または上記１２に記載の方法。
１４． 超音波信号が２０ｋＨｚから７０ｋＨｚまでの範囲の周波数を有する、上記５から１３のいずれか一つに記載の飲料、または上記６から１３のいずれか一つに記載の方法。
１５． 超音波信号が実質的に３０ｋＨｚの周波数を有する、上記１４に記載の飲料または方法。
１６． 前記氷の塊が飲料中で飲料上の泡の下から下方に展開する、上記１、５、６、７、９から１５のいずれか一つに記載の飲料、または上記２から４または８から１４のいずれか一つに記載の方法。
１７． 飲料が中に吐出される前に容器が冷却される、上記１、５、６、７、または９から１６のいずれか一つに記載の飲料、または上記２から４または８から１６のいずれか一つに記載の方法。
１８． 容器が実質的に４℃の温度に冷却されるか、または容器が４℃よりも低い温度に冷却される、上記１７に記載の飲料または方法。
１９． 容器が実質的に０℃の温度に冷却される、上記１７に記載の飲料または方法。
２０． 飲料が実質的に−１℃と実質的に−１２℃との間の温度に冷却される、上記７または上記７に添える場合の上記９から１９のいずれか一つに記載の飲料、または上記８または上記８に添える場合の上記９から１９のいずれか一つに記載の方法。
２１． 飲料が実質的に−４℃と実質的に−６℃との間の温度に冷却される、上記２０に記載の飲料または方法。
２２． 容器が充分に透明な壁部分を有し、前記壁部分を通して容器の内容を見ることのできる、上記１、５、６、７、または９から２１のいずれか一つに記載の飲料、または上記２から４までまたは８から２１のいずれか一つに記載の方法。
２３． 容器がガラスの飲用容器である、上記２２に記載の飲料または方法。
２４． 飲料が淡いビールの色を有する、上記１、５、６、７、または９から２３のいずれか一つに記載の飲料、または上記２から４または８から２３のいずれか一つに記載の方法。
２５． 前述した溶存ガスが二酸化炭素および／または窒素を含む、上記１、５、６、７、または９から２４のいずれか一つに記載の飲料、または上記２から４または８から２４のいずれか一つに記載の方法。
２６． 飲料中の溶存窒素内容物が実質的にゼロｐ．ｐ．ｍ．から実質的に１００ｐ．ｐ．ｍ．の範囲である、上記２５に記載の飲料または方法。
２７． 溶存二酸化炭素内容物が実質的にゼロ体積％またはそれ以上である、上記２５または上記２６に記載の飲料または方法。
２８． 二酸化炭素が体積で実質的に２．２％または実質的に４％または実質的に５％である、上記２７に記載の飲料または方法。
２９． 超音波信号が機械的ないし電気的に発生する可聴パフォーマンスおよび／または可視光表示を伴なう、上記５から７のいずれか一つまたは上記６に添える場合の上記９から２８のいずれか一つに記載の飲料、または上記８または上記８に添える場合の上記９から２８のいずれか一つに記載の方法。
３０． 可聴パフォーマンスが調子のよいまたは音楽的な音である、上記２９に記載の飲料または方法。
３１． 可視光表示が目に見える光の点滅を含む、上記２９または上記３０に記載の飲料または方法。
３２． 飲料が囲いの中で超音波にさらされ、囲いは前記囲いの少なくとも１つの側から見て容器を隠すように配置される、上記６または上記７、または上記６に添える場合の上記９から３２のいずれか一つに記載の飲料、または上記８または上記８に添える場合の上記９から３１のいずれか一つに記載の方法。
３３． 水内容物および溶存ガス内容物を含む飲料であって、飲用される前に前記飲料が大気圧下での水の凝固点よりも低い温度まで冷却され、飲用されるために大気圧下にさらされた容器に吐出され、前記容器内で前述のガスが飲料から発泡し、かつ前記水内容物の少なくとも一部が氷になる飲料。
３４． 樽抜きで使用可能でかつ水内容物と溶存ガス内容物を含む飲料であって、飲用される前に樽抜き飲料が大気圧下での水の凝固点よりも低い温度で出口から大気圧下に開放された容器に流出することになって、それにより前述のガスが飲料から発泡し、かつ前記水内容物の少なくとも一部が氷になる飲料。
３５． 前記容器が前記上部開放容器である、上記３３と上記５から７または９から３２のいずれか一つ、または上記３４と上記５から７または９から３２のいずれか一つに記載の飲料。
３６． 前記容器が充分に透明な少なくとも１つの壁部分を有して前記壁部分を通して容器の内容を見ることのできる、上記３５に記載の飲料。
３７． 容器がガラスで作製される、上記３５または上記３６に記載の飲料。
３８． 容器が前記氷の形成を促進するような形状または構成を有する、上記３５から３７のいずれか一つに記載の飲料。
３９． 容器が、前記氷の形成を促進するような核形成部分を供給するように配置された内側表面を有する、上記３５から３８のいずれか一つに記載の飲料。
４０． 前記表面が少なくとも１つのざらざらの表面部分を有する、上記３９に記載の飲料。
４１． 容器が、温度の変化で自動的に色を変えるように配置された少なくとも１つの壁部分を含む、上記３５から４０のいずれか一つに記載の飲料。
４２． 前記壁部分が熱変色性材料を含む、上記４１に記載の飲料。
４３． 形成された氷がその中に氷および／または飲料の色と対比する１つまたは複数の色の縞または領域を１つまたは複数含む、上記３３から４２のいずれか一つに記載の飲料。
４４． 水内容物と溶存ガス内容物を含む樽抜き飲料を供給する方法であって、前記方法が出口から上部開放容器に樽抜き飲料を流出させること、前記流出の前に飲料を前述した溶存ガスの飲料からの損失を妨げる方式で貯蔵ないし取り扱うこと、および前記飲料を前記大気圧下での水の凝固点よりも低い温度まで冷却することを含み、前記容器内で前述のガスが飲料から発泡して前記水の少なくとも一部が氷になる方法。
４５． ある程度の透明度のある壁の少なくとも一部を有する上部開放容器内で目に見える表示ないし効果を供給する方法であって、前記方法が水内容物と溶存ガス内容物を含む樽抜き飲料を供給すること、出口から前記容器に樽抜き飲料を流出させること、前記流出の前に前述した溶存ガスの飲料からの損失を妨げる飲料の貯蔵ないし取り扱いをすること、および前記飲料を前記大気圧下での水の凝固点よりも低い温度まで冷却することを含み、目に見える表示ないし効果が容器内の飲料中に展開し、前記目に見える表示ないし効果が前述したガスの飲料からの発泡および前記水の少なくとも一部の氷への移行による氷の形成を含む方法。
４６． 容器がある程度透明の壁部分を有する、上記４４に記載の方法。
４７． 容器がガラスを含む、上記４４から４６のいずれか一つに記載の方法。
４８． 氷の形成が、飲料の実質的に上位の位置から飲料を通って下方に氷の量と範囲が増加するように容器内で展開する、上記４４から４７のいずれか一つに記載の方法。
４９． 容器が、温度の変化で自動的に色を変える少なくとも１つの壁部分を有する、上記４４から４８のいずれか一つに記載の方法。
５０． 前記壁部分が熱変色性材料を含む、上記４９に記載の方法。
５１。 容器が、氷の形成を助長するための形状ないし構成を含む、上記４４から４９のいずれか一つに記載の方法。
５２． 容器が氷の形成を助長するために１つまたは複数の内部構成を有する、上記４４から５１のいずれか一つに記載の方法。
５３． 容器の内側の壁の少なくとも一部が粗い生地を有する、上記５２に記載の方法。
５４． 容器が氷形成の上側層の下で飲料中のさらなる氷の形成を助長するように構成され、前記さらなる氷が上昇して前記上側層につながる、上記４４から５３のいずれか一つ記載の方法。
５５． 前記氷の形成を助長するために器具が容器内の飲料中に挿入される、上記４４から５４のいずれか一つに記載の方法。
５６． 前記器具が温度計である、上記５５に記載の方法。
５７． 前記器具がマドラーである、上記５６に記載の方法。
５８． 飲料および／または氷中で少なくとも１つの色の縞ないし領域を形成するために着色材料または染料が供給され、前記材料または染料の色が目に見えるように氷および／または飲料のそれと対比的である、上記４４から５７のいずれか一つに記載の方法。
５９． 前記器具が着色材料または染料を飲料および／または氷に添加するために使用される、上記４７から５７のいずれか一つに添える場合の上記５８に記載の方法。
６０． 前記氷が溶けかけの氷を含む、上記１、５から７、または９から４３のいずれか一つに記載の飲料、または上記２から４、８、９から３２または４４から５９のいずれか一つに記載の方法。
６１． 飲料冷却用熱交換手段、前記熱交換手段から冷えた飲料を流出させるための飲料出口、前記出口への飲料供給を制御するための開閉可能なバルブ手段、および飲料をループ内で循環させるための飲料循環ループを含む、樽抜き飲料を供給するための装置。
６２． バルブ手段が閉じられると飲料が前記ループ内で循環する、上記６１に記載の装置。
６３． 前記ループが飲料をループ内で循環させるためのポンプ手段を含む、上記６１または上記６２に記載の装置。
６４． 凍結飲料が出口への飲料供給径路を封鎖する危険性を低減または回避するように飲料が循環される、上記６１から６３のいずれか一つに記載の装置。
６５． 前記ループが前記熱交換手段内の飲料流路を含む、上記６１から６４のいずれか一つに記載の装置。
６６． ドリンクバーのカウンターに設置可能なユニットまたはディスペンサを含み、熱交換手段および出口を含む、上記６１から６５のいずれか一つに記載の装置。
６７． 飲料流路が前記樽抜き飲料のリザーバを前記熱交換手段に接続する、上記６１から６６のいずれか一つに記載の装置。
６８． 前記流路が前記ループの少なくとも一部を含む、上記６７に記載の装置。
６９． 前記流路が複数の飲料径路に分かれ、前記ループが前記径路の１つまたは複数を含む、上記６７に記載の装置。
７０． 前記リザーバと前記最初に述べた飲料冷却用熱交換手段との中間に、飲料が第２の飲料冷却用熱交換手段の影響にさらされる、上記６７に記載の装置。
７１． リザーバが冷却にさらされる、上記６７に記載の装置。
７２． 前記熱交換手段が第１の熱交換手段であり、第２の飲料冷却用熱交換手段が前記ループの少なくとも一部において作用するように供給される、上記６１から６７のいずれか一つに記載の装置。
７３． 第１および第２の熱交換手段に共通した冷却剤がそれらを通って循環する、上記７２に記載の装置。
７４． 前記リザーバと前記ループの中間で飲料がさらなる飲料冷却用熱交換手段の影響にさらされる、上記６７に記載の装置。
７５． 装置が、前記出口から出現する飲料が大気圧下での水の凝固点よりも低い温度となるよう動作するように配列される、上記６１から７４のいずれか一つに記載の装置。
７６． 装置が、前記出口から出現する飲料が実質的に−１℃と実質的に−１２℃との間の温度となるよう動作するように配列される、上記６１から７４のいずれか一つに記載の装置。
７７． 飲料が非アルコール性である、上記１、５から７、９から４３または６０のいずれか一つに記載の飲料、または上記２から４、８、９から３２または４４から６０のいずれか一つに記載の方法、または上記６１から７６のいずれか一つに記載の飲料供給装置。
７８． 飲料がアルコール性飲料である、上記１、５から７、９から４３または６０のいずれか一つに記載の飲料、または上記２から４、８、９から３２または４４から６０のいずれか一つに記載の方法、または上記６１から７６のいずれか一つに記載の飲料供給装置。
７９． 前記アルコール性飲料がビールである、上記７８に記載の飲料、方法または装置。
８０． 前記ビールがラガーである、上記７６または上記７７に記載の飲料、方法または装置。
８１． 前記アルコール性飲料がシードルである、上記７６に記載の飲料、方法または装置。
８２． 上部開放容器に樽抜きシードルを供給する方法であって、前記シードルが水内容物および溶存ガス内容物を含み、前記方法がシードルを大気圧下での水の凝固点よりも低い温度まで冷却すること、および冷えたシードルを前記容器に吐出することを含み、前記冷えたシードルが超音波信号の影響にさらされる方法。
８３． シードルが実質的に−１℃から実質的に−１２℃までの範囲の温度に冷却される、上記８２に記載の方法。
８４． シードルが実質的に−６℃の温度に冷却される、上記８３に記載の方法。
８５． 冷えたシードルが発泡器を経由して吐出口から流出する、上記８２から８４のいずれか一つに記載の方法。
８６． 冷えたシードルが、シードルの流出する吐出口内のオリフィス板を通過する、上記８２から８４のいずれか一つに記載の方法。
８７． シードルを受ける前に上部開放容器が冷却される、上記８２から８６のいずれか一つに記載の方法。
８８． 上部開放容器が実質的に４℃に冷却されるか、または４℃よりも低い温度に冷却される、上記８７に記載の方法。
８９． 上部開放容器が実質的に０℃に冷却される、上記８８に記載の方法。
９０． 前記超音波信号が実質的に２０ｋＨｚから実質的に７０ｋＨｚまでの範囲の周波数を有する、上記８２から８９のいずれか一つに記載の方法。
９１． 超音波信号が実質的に３０ｋＨｚの周波数を有する、上記９０に記載の方法。
９２． 超音波信号が前記容器の外部から前記容器に印加される、上記８２から９１のいずれか一つに記載の方法。
９３． 超音波信号が前記容器の内部で冷えたシードルに印加される、上記８２から９１のいずれか一つに記載の方法。
９４． 超音波信号の発信器が容器内のシードル中に超音波信号を発信するために容器内のシードル中に配置される、上記９３に記載の方法。
９５． 冷えたシードルがそこから前記容器に流出する吐出口または前記吐出口が超音波信号発信器として作用し、前述の超音波信号を発生するように構成される、上記９３または９４に記載の方法。
９６． 前述の超音波信号が吐出口を流れる前述のシードルに印加される、上記９５に記載の方法。
９７． 溶存ガス内容物が二酸化炭素および／または窒素を含む、上記８２から９６のいずれか一つに記載の方法。
９８． 二酸化炭素内容物が体積で実質的にゼロ％またはそれ以上であり、かつ／または窒素内容物が実質的にゼロｐ．ｐ．ｍ．またはそれ以上である、上記９７に記載の方法。
９９． 上部開放容器内のシードルであって、前記シードルが溶存ガス内容物と水内容物を含み、前記シードルが氷を覆う泡沫の飲料上の泡を有し、前記氷がシードル中で前記水内容物の水から形成されるシードル。
１００． 前記飲料上の泡および氷が上記８２から９８のいずれか一つに記載の方法の実施によって少なくとも部分的に生じる、上記９９に記載のシードル。
１０１． 上部開放容器内でシードル上に飲料上の泡を維持する方法であって、前記シードルが溶存ガス内容物と水内容物を含み、前記方法がシードル上に飲料上の泡を供給すること、およびシードル中で前記水内容物の水から氷を形成することを含み、前記容器内で前記氷が前記飲料上の泡によって覆われる層を形成する方法。
１０２． 前記飲料上の泡および氷が上記８２から９８のいずれか一つに記載の方法の実施によって少なくとも部分的に生じる、上記１０１に記載の方法。
１０３． 水内容物を有する飲料を供給すること、大気圧下での水の凝固点よりも低い温度まで飲料を冷却すること、冷えた飲料を上部開放容器に吐出すること、および容器内の飲料中で、前述の水内容物から飲料中に氷ができる核形成部分の形成を促進することを含む、上部開放容器に飲料を供給する方法。
１０４． 飲料が、容器内で飲料から発泡し、前述の気泡に前述の核形成部分を生じる溶存ガス内容物を含む、上記１０３に記載の方法。
１０５． 飲料が、核形成部分の形成を促進するために超音波の影響にさらされる、上記１０３または上記１０４に記載の方法。
１０６． 飲料が前述の核形成部分として作用するかまたはその形成を促進する固体物質を含む、上記１０３から１０５のいずれか一つに記載の方法。
１０７． 飲料冷却用熱交換手段、冷えた飲料を熱交換手段から流出させる飲料出口、前記出口への飲料供給を制御するための開閉可能なバルブ手段、および飲料をループ内で循環させるための飲料循環ループを含み、前記熱交換手段が前記飲料を冷却するための冷却器ないし冷水槽を含む、樽抜き飲料を供給するための装置。
１０８． 熱交換手段が飲料を冷却することができ、かつループを循環する飲料を加熱することもまたできる熱交換器を含む、上記１０７に記載の装置。
１０９． 熱交換器がペルチェ効果を使用し、それによって、それへの電流の逆転が飲料の加熱を引き起こすことを可能にする、上記１０８に記載の装置。
１１０． 実質的に添付の図面のうちの図１から１９までまたは図２０から２５までを参照して説明した、上記１に記載の飲料。
１１１． 実質的に添付の図面のうちの図２と４、または図２から５まで、または図２から４までと６、または図２から４までと７、または図１から４まで、または図１から５まで、または図１、２から４までと６、または図１、２から４までと７、または図８から１５まで、または図８から１６まで、または図８から１５までと１７、または図１から８まで１６まで、または図１と８から１５までと１７、または図１７と１９、または図２１から２３までまたは図２２、２３と２４の図２２から２４まで、または図２０から２３まで、または図２０と２２から２４まで、または図２０と２２、２３と２５を参照して説明したような、上部開放容器内で飲料を冷たく保つ方法。
１１２． 上部開放容器内の飲料中で冷却用氷を維持する方法であって、前記氷が飲料中で飲料の水内容物の水から形成され、前記方法が実質的に添付の図面のうちの図２から４まで、または図２から５までまたは図１、２から４までと７の図１、２から４までと６、または図８から１５まで、または図８から１６まで、または図８から１５までと１７、または図１、および８から１５まで、または図１と８から１６まで、または図１と８から１５までと１７、または図１８と１９、または図２１から２３まで、または図２２から２４まで、または図２２、２３および２４、または図２０から２３までまたは図２０と２２から２４まで、または図２０と２２、２３と２５を参照して説明したものである方法。
１１３． 実質的に添付の図面のうちの図２から４まで、または図２から５まで、または図２から４までと６、または図２から４までと７、または図1から４まで、または図１から５まで、または図１、２から４までと６または図１、２から４までと７、または図８から１５まで、または図１と８から１６まで、または図１と８から１５までと１７、または図１８と１９、または図２１から２３まで、または図２２から２３までまたは図２２、２３と２４、または図２０から２３まで、または図２０と２２から２４まで、または図２０と２２、２３と２５を参照して述べたような、上部開放容器内の飲料の上に飲料上の泡を維持する方法。
１１４． 実質的に図２から４まで、または図２から５まで、または図２から４までと６、または図２から４までと７、または図１から４まで、または図１から５まで、または図１、２から４までと６、または図１、２から４までと７、または図８から１５まで、または図８から１６まで、または図８から１５までと１７、または図１、および８から１５まで、または図１と８から１６まで、または図１と８から１５までと１７、または図１８と１９、または図２１から２３まで、または図２２から２４まで、または図２２、２３と２４、または図２０から２３まで、または図２０と２２から２４まで、または図２０と２２、２３と２５を参照して述べたような、上部開放容器に樽抜き飲料を供給する方法。
【図１】
0005006908.tif 000002
【図２】
0005006908.tif 000003
【図３】
0005006908.tif 000004
【図４】
0005006908.tif 000005
【図５】
0005006908.tif 000006
【図６】
0005006908.tif 000007
【図７】
0005006908.tif 000008
【図８】
0005006908.tif 000009
【図９】
0005006908.tif 000010
【図１０】
0005006908.tif 000011
【図１１】
0005006908.tif 000012
【図１２】
0005006908.tif 000013
【図１３】
0005006908.tif 000014
【図１４】
0005006908.tif 000015
【図１５】
0005006908.tif 000016
【図１６】
0005006908.tif 000017
【図１７】
0005006908.tif 000018
【図１８】
0005006908.tif 000019
【図１９】
0005006908.tif 000020
【図２０】
0005006908.tif 000021
【図２１】
0005006908.tif 000022
【図２２】
0005006908.tif 000023
【図２３】
0005006908.tif 000024
【図２４】
0005006908.tif 000025
【図２５】
0005006908.tif 000026
【図２６】
0005006908.tif 000027
【図２７】
0005006908.tif 000028
【図２８】
0005006908.tif 000029
【図２９】
0005006908.tif 000030
【図３０】
0005006908.tif 000031